(57)【要約】  1っの遠いキー「(GSM・UMTS・WLAN・Bluetooth・RFID一トランシーバー)(AIORK)のためにあ6ゆるタイプの宮殿、水門あるいは項目のための携帯電話そしてノあるいは拡張講座キット」宇宙で普遍的なキーが彼/それですか・そして一が電子で(そのために)機能する和解(Bluetooth、NFCRFID一)が現金に引き換える直接の支払いとrが支払い、すべての消費された項目あるいはインフォメーションを持っていますか。指を持っているか、あるいは直接のバイオメトリックセンサー確認で口頭のインプット缶一杯はされます。.「インフォメーションダウンロード」のためのNFC一トランシーバーーインターネットーオークシヨンのアプリケーシ…1ン認証一賭けそして一株式取引所取引と(彼・それ)6のインフオメーシ三1ンとv.。価値オブジェクトのRFID一タグ身元確認へのa.、電子器具と組み立て式に作6れた部分など。一がするGSMウェブサイトでインターネットペースです。アカウント借り方。和そしてモバイルフオンプラツトホーム1一ビデオクリップヒットパレード実行、(彼・それ)6例えばニユ「スなどで指紋センサーと一緒に最も良い特質としての認証をもた6すことIi.求めている、そして結局ただそのために面白い可動的なビデオフォン消費者【特許請求の範囲】
【請求項１】
"すべて1っのリモートキーで」、rネット、指紋センサーを持っているあるいはもう1っの
ノ、イオメトリツク身分証明書の中間の設備が整っている器具(携帯電話、MP3一
プレーヤー、時計)と一緒の1以上のそれあ
るいは、貯蔵で、(アクセス、数、パスrワード、lD、身元確認陽イオン、認可のために
)(ハードウエアとして同Uくソフトウエアのように)(彼・それ)6のインタフェースの
ためにそれにすべてのインタフェースと調和しているアタッチメント(拡張キット)、ディ
スプレイ、キーボード身元確認rフォン拡声器CPUバッテリー、太陽電池板、
カメラなど(A工ORK)を通してそれ)
そして/あるいはソフトウエアに関するそれを持っている(の・もの1人)と機械的に、
そして/あるいは電子的にラジオ連結してください拡張キットの上のζして'あるいはソフ
トウエアに関するソフトウエアインタフェースそしてノあるいはGSM
のリスト、青いr歯、NFC、WいN、UWB、IrDa、125kHz
、あるいは他の10センチ。最も異なうた電子の、そして機械のソフトウエア
の形式のキーとアプリケーションが(そのために)走る100センチの短い一距離一
ステーション、ラジオとTVトランシーバー:
【請求項２】
"1一すべて1つのリモートキーで」Il(AIORK)の後に、それ、その管理することによって特徴
づけ6れて、開いて、1を主張します/
ガレージあるいは他の可動的であるか、あるいは速い頑丈なラジオ宮殿、初心者
について部分機能のアプリケーション(キーの間に)すなわち、
、追加のインフォメーション、その認可と1の村あるいは数台のラジオーモータ一一
自転車、自動車が的に向かわせるアクセスを握り締めて/始めますIIあるいはlI一
コミュニケートすることのユニットコードがそれ自身コードをトランシー
バーするが、同時にキーをすなわち、
するか、あるいはする点火装置11そして、さ6に特にフアンクー
アンテナファンクの上の最も短い距離が望まれるステーションの達成に同様に最も少数の奴
隷をas.
する・あるいは日が計算して、そして示されるところ(に・で)、そしてその場所と他の奴
隷が登録されているときさ6に諜報機関の上にそして移動電話一ブレースの上にBluetooth
ScattemetとGSMの上に直接動きセンサーで、Bluetooth、NFCあるいはWいN
の上、最も近くの駅あるいは日へのうジオーアンテナ.
すべての上にと一緒の指示が示されるところ
【請求項３】
"llすべて1つのリモートキーで」1I1、が相互で、直接もっと多くてそれ、それによってアク
セス・・
コントロールアプリケーションに印を付けた(AIORK)クレームが金、NFCの上のバイオ
メトリック指紋一センサー、Bluetooth
などと一緒にどこ(で・に)かのために人制御装置、入場料あるいはトランザクシ
ョンのために写真と個人の細部の代表包み転送を同期させた後11.
モーターのコントロrルのために
認可と借り方あるいは車(中央モーターユニットあるいは)とソフトウエアにおいて同様に
どこ(で・に)かがas.することは処理される、あるいは他はにである暗証番号社が
Bluetoothの上のFP一センサー
と一緒の器具か6暗証番号社の確認を持った隠れている点火までその機会の上に立候補する
、そして次に認可社と共にNFCの上に器具の中のFP・
センサーを持っている中央モーターユニットのための2番目の暗証番号C1
が起こされるところ、それが6もう1っの点火、それがそうである中央モ
ーターユニットと例えばまでの認可C01と一緒のFP一センサー
と一緒の器具の点火コードC2が始め、何で元気であるのと同じぐ6い元気なGSM-Modul
とz.Bと一緒の錠ループラジオ宮殿にモーターを運ぶように。Bluet。oth
は暗証番号Cの中に含まれることができる。
【請求項４】
llllすべて1っのリモートキーで」Il(AIORK)の後にそれによって記録された1、そのM支払
いがアプリケーション、どこ(で・に)がにNFC、W-LANと共にUWB
、携帯電話、時計のような器具でBluetooth一、あるいは他の例えば
125kHzトランシーバーの負担を強いる、MP3一プレーヤーあるいは拡張キットという人が
これ6と一緒にv.の近くで指紋センサーでそれあるいは例えばのようなバイオメトリック
人身分証明書を相互に連結したと主張するII.a.
器具か6器具へと、あるいはキャッシュ・レジスター、自動販売機、券売機、ジューク
Boxeあるいはゲイツなどに感触を向けなさい。Mikとr緒の支払い、l1即刻か、あるいは後の
GSMとIMEI一数を同じく個人の細部、バイオメトリックと銀行預金口座の上のア
カウント番号データとして直接、あるいは間接
的に器具あるいはそれとコミュニケートしている支払いタ
ーミナルか6送信まで金額を差し引かれるIlそしてll
一位置、時間、一例えば公園会費のような権利一消費、納税申告書ある
いは直接トランシーバーの上の入(学・会)許可価格が金額を差し引かれるエリア
ー直接の外国為替変換を持った実行株
一賃貸料、購入、販売、ゲーム、賭け、株式取弓1所一
取引と保険証書とインタrネットとウェブサイ
トプラットホームの上の契約結論、あるいは直接認可に似合われた。
一AIORK一そして、預金出演についての、個人の指紋一
保全コードと一緒のインターネットダイ
レクト支払い認可が調べるなどする。森林開拓地に、リリースに、そして、インター
ネットに接続したコンピュータ、携帯電話とターミナルの上にMicrO
とマクロ支払いでインターネット商業を駄目と見なしてあき6めることが可能である
ために。
一自然音の、そして明白なバイオメトリツク指紋一センサー
は1、2、を感動的であるか、あるい
はトリックの実行のトリプルと裁定します、あるいはそれは有用ですディスプレイ価
格、プロダクト
・の上にインストール前がそうであることを示した速いM支払いのためのグルrプを
上場します
一携帯電話の上のHomebanking・管理されたする確認されたトランザクションの
Smartphoneと同じくコンピュータがなるようにNFC一
トランシーバーと一緒にそしてFP一センサーと一緒に処理されたPDA
【請求項５】
"111つのリモートキーのすべて」II(A工ORK)が、彼女/
それと一緒に、実行アプリケーションをRFID一
タグを付けるそれによって記録された1を主張した後11
一Ilクレジットが、RFID一タグのEEOPROM
キャッシュ記憶装置エリアが読み終えたもので、上に書かれるRFID一
ふだが金を元気なaS.
として同じくで含みが多いと同じようにしっかり固定した器具、ただ自動販売機ある
いは人たちと一緒の同じ携帯電話だけが積み込まれたという点でそれ6の上に日につ
いて(彼・それ)611(IIあるいはバイオメトリツク身分証明書で上にI1指紋センサー一1
)1旧についてクレジットでアンロ
ードされますあるいは(容器)常にロックループ特許で(銀行一アカウント
ー)で番号が(GSM-MPの上に)ウェブサイトの上に安全に保ったのと同じように
RFID一クレジットータグll
一個人的な(の・もの・人)一器具の上に指紋一センサー
にとって同じぐ6い申し分がないウェブサイトのRF工D一タグの登録一
がウェブサイトの上の接続が記録するそして管理されたした直接GSM一ネット
と一緒の広告、ロゴあるいはパッケージが似合うRF工D一
ふだが、プロダクトで、番号を付ける器具の上に、何で確認されるか
調べますにRF工D一タグを持っているプロダクトの品質がされる敷地、敷地、の上に
GSM一ネット接続ウエブサイトの上の(の・もの・人)が登録して一
スマートカードのセキュリティースペースあるいは他のRF工D一
タグの上に書いて、そして終了した読みである
一類似ですアプリケーションが食物が好きである一そして他の消費一
計算あるいはセキュリティー1一データベース経営者が走る
【請求項６】
'111すべて1つのリモrトキーで」II(AIORK)の後に電子電子署名(en)が同じく自然で(そ
のために)できるそれによって記録された1、その単純であるか、あるいは多数の一般的な
投票してくださいr変更、を法律の人々、PGP
でコードされたエナメル、証明書、登録されました文字として主張して、一パッケージー
転送、納税申告書、バス取り扱い、マーンー確認、苦情を郵送するか、あるいは、元気なaS.
特許登録証明書と.アプリケーションとして、SAP一働いてください一借り方とSMS.
わず6わせる洞じぐ6い同Jく電子のチケツトー
獲得11そして時間を持ったこれ、位置、器具の
上のそして/あるいは他の器具へのそして/あるいはBluetooth、WrいN
、NFCなどの上の指紋一センサーについての法律上の陳述。
ソフトウエアに関するステーションが口座接続と一緒に、そして!
あるいは直接管理されたして、そして'あるいはウェブサイトの上であった、あるいはGSM
一ネット接続の上の間接的にが金額を差し引かれる
【請求項７】
111すべて1っのリモートキーで」ll(AIORK)がそれによって記録された1、家のための器具
購入行動、車のそれほど個人的な好み態度、がV.以上をクラブー送るが、.あるいは、一
広告することに対して、フィルターすると主張した後11.a.Bluetoothなど。
走って、何で好み態度の後に携帯電話、TV、の上にこれほどそれほどメディアコンピュー
タヘッドホンあるいは乗り物(モーター経営者と一緒に中央モーターユニットの上に)、送
信機、を運んで、そして指紋センサー起動の有無にかかわ6ずを井戸aS.
認証そしてどこ(で・に)かとしてとして寄港します.
【請求項８】
HIIすべて1つのリモートキーで」1(AIORK)が、それ、その直接の認可を持っている支払う
べきウェブサィトヘのuur
格下げと指紋センサー確認の上のそして!あるいはこのリンクを持っているRFID一
タグか6の支払いによって特徴づけ6れて、1を主張した後11.すなわ右、
プロダクトによって一RFID・タグがへ携帯電話の上に開かれることができるEPC
でストアあるいはオークションでの同じプロダクトの供給元(eBay)が去った
【請求項９】
¶すべて1つのリモートキーで」IKAIORK)の後にそれによって記録された、それほど対話
型の1を主張するllなぜな6テレビで、あるいは現在のチャネル(Bluetooth一
アダプタr以上)と規則、広告のための調査、プロ
グラム・が特に「個別聴視料金」と新しい(の・もの・人)で(S)一遅れているテレビー
の時に中味に投票して、購入するという指紋一センサー
定数、評価、の上の器具への(彼それ)6の態度が3Gの携帯電話など
にダウンロードする携帯電話でか611.FP一センサーと一緒にをSMS
としてあるいはとしてとして器具ですぐにインプットである実行.
【請求項１０】
''llすべて1っのリモートキーで」Il(A工ORK)の後に専有であるが他のBT
になるか6有用なユrザー(人たち・もの)が、彼/M支払いアプリケーションの上のit.
が棄権することを望むz.Bであるか否かにか
かわ6ず、決定するそれによって記録された1を主張する"セルに関するアプリケーションが
同様にとしてA10RK一ソフトウェアで電話をかける一11.ソフトウェアロックー
特にもし我々のAIORK一ソフトウエ
アが注意するな6、我々の特許がそうであることは他の人た右に携帯電話で外国の有害なア
プリケーションを走6せさせた。すなわち、A工ORK一
ソフトウェア聴取がはやっていて、もし他であるな6携帯電話でどんな他の
人たちと一緒にでもどち6をソフトウェアする.
【請求項１１】
"llすべて1っのリモートキーで」ll(A工ORK)の後に指紋センサー
と一緒のその器具がディスプレイ
の上1(人・つ)へのアクセス、オークション機能の有無にかかわ6ずどこにかのために輸
送機関一そして同Jく碁にインターネットWAPプラットホーム(要求
申し出てください一オークションー)の負担
を強いるそれによって記録された1を主張する1ロンピュ一夕あるいはポータブルが時間で出
発場所などに電話をかけるll.
そして目的地にルートを誇りとして持ったか、あるいは精度とのさ6に動きエリ
アの主張の可能性を持っているインプットであるそして電子的にデジタルに.
が傾いてくださいして、そして!あるい
はそれがブロードキャストされる、そして特に運転手.
すべての上にタクシー運転手あるいは他の公的なトラフィックビジネス彼女/そ/
(彼・それ)6の旅行ルートがカードシステムか6中に実際に興味を
持った乗客を入力するというGPSあるいはGSM一
ネッツについてのオリエンテーションステートメントにこれ6
の申し出をスコアカードに記入するインターネツトーWAPは時経費参加と計算器を
望みました、あるいは彼/
それの上にプラットホームの上にアクセス可能なインフォメーションにいずれかと指紋セン
サーか6のこれ6の旅行を表しません
【請求項１２】
11すべて1っのリモートキーで」Il(AIORK)の後に1が、それ、直接の評価に対する指紋セ
ンサー
と一緒の1器具それによって、そしてアクセスのために対話型のインターネット上でビデオ
ヒット狡猪を持っている元気なaS・
可動的なフォンボータルであるというマークを付け6れて、何がについて、元気なas.
が公演か6金額を差し弓1く(とき・か6・につ'れて・ように)、元気なas.
ヒットパレード、含有量、テレビ運河、
ゲーム、サービス、プロダクト、ソフトウェアインプリメンテーション、認可、世論調査、
権利と任務、ゲーム、パートナー調停、経済としてu.支払いトラフィック調整一
可能性をヒットーチャートにすると主張する
a)Il)それは他のコンピュータ、サーバー、ラップトップが認証の後の可動的なフォン、PDA
・のビデオクリップと中身と相互作用するか。の、彼/そのサーバーに関する指紋一
センサーがなるバイオメトリックを持っている認可とそれ
b)ビデオクリップと移動電話に戻っているこれ6のサーバrの内容物、PDA
、ラップトップのなど。バイオメトリツク人認識高原そして一評価とそれを積まれる
c)モービルー電話のビデオクリップと対話型のヒットか6の中身、'PDA、ひざトップのなど。・
ヒットパレードでバイオメトリツクで人認識そして一
評価は目録に載っている、そしてそれです
d)毎日、週に1度のヒットパレード、毎月、そして毎年再びリストされて、そして時のそれぞ
れのコースの後に次のヒットパレードリストについて持って来6れる、そしてそれ
e)ただトツフb場所く人たち・もの)だけがヒットパレードとそれの対話型のステーションの
選ばれたタイトル
f)と名前で同様に切り抜きがダウンロードされるという元気なas.
としての対話型の選ばれた場所をaS.する
g)一1それはクリップのコストー価値一
和解後に覆われている1一ヒットの数11まっすぐにかつて、あるいは
相互にかつてヒットパレードに対する見解のか、あるいはさもなければ時間、地方と品質の
後の要因が主要なグルソトー支払い一評価システムとそれとして計算する要因11
h)彼の前の貢献/それの後の特定のソフトウェアと一緒のクリップ、そして/あるいは傾
くことは選択を上達させて、修正して、コード化する、守った、'パーソナルが公正に豊の目
紙を要求した後そしてユーザー自身か6対話型の異なったりストそして/あるいはフォンそ
して/あるいは管理されたか6のソフトウエアが似合うモバイルーと指紋一センサー一
認可実行とそれ以上で
i)元気なaS.
認可としての対話型のオープンソース・ソフトウェアインプリメンテーションが、元気なaS.
として、対話型のポータルが保証するべき連続的にもっと良いソフトウエアアプリケーショ
ンを得るために持つポータル・指紋一センサー一認可実行の上の(彼・それ)6とそれ
j)対話型のラジオとテレビ運河参加一設定一と評価システムが持つボータル、指紋一
センサー一認可とそれの上のその実行
k)内容、機会、場所、時間、サービス、義務と実行可能なセンサー一認可がそうである指紋一
の権利とそれのための対話型の認可システム
1)対話型のゲームそして/あるいは経済が一信用度一
システムズ、が支払われる支払いとそれを使って、後で示される元気なaS.
が利益と価値を計算した(とき・か6・につれて・ように)、対話型の内容でイ
ンプットに補償するバーチャル「RobeIJそして/あるいは右金を持っている
m)相互作用の支払い取引と中身、オークション、プロダクト、サービス、サービスの請求処理
、オークション、コンテスト、賭けとゲーム、チケット、チケットと先端とそれ
n)元気なaS.銀行取引経営者、実行可能な指紋一センサー一認可の上の口座指導体制と株一
コースー政権は相互作用のコード化された金であるけれども、そしてそれ
o)入り口の中そして外の決定のための相互にやりとりするコード化された世論調査関数。
p)実行可能な一センサー
一認可がそうである指紋とそれの中身の相互作用のエンコーディング
q)ボータルと中身などの対話型の態度のための対話型のニューラルネットの機能。,実行可能な
一センサー一認可がそうである指紋とそれの上に
r)相互作用のパートナー調停一プレゼンテーションと実行可能な指紋一センサー一
認可以上がそうである.ゲームとそれ
s)トラフィックー保全(パット).緊急時、離れている隣りの病院政策ガレージ駅Tow
、地図とガイド、が実行可能なセンサー一認可がそうである指紋一
での動き場所サービスとそれを留まってください一undします
t)相互にやりとりする場所と友人たちのためのレーヨン規則認可、実行可能な指紋一センサー一
認可以上がそうであるヘルパーあるいは裁判官と警察
【発明の詳細な説明】
【技術分野】
【０００１】
技術的なエリア／前兆／要約
いくつかのステーション(GSM、Bluetooth
、NFC、WLAN)を持ったそしてコード、番号、パスワード、lD認証
、認可、購入、販売、支払い、指紋センサー
一緒に直接の評価のためにそしてアクセスのために対話型のイン
ターネット上で同様に器具の機能コントロールが一緒にモバイルフオンボータルをaS.
する指紋センサーの流
れ「1つのリモートキーの宇宙」(アクセス(AIORK))と一緒の器具の上のこれビデオヒット狡狙
、元気なas.
ヒットパレード、含有量、テレビ運河、としてゲーム、サービス、サービス、プロダクト、ソフトウ
エアインプリメンテーション、認可、票、権利と任務、ゲーム、パートナーr伝達、賭けられた株式
取引所・経済の一u.支払いトラフィック調整一可能性、が携帯電話にいる一
あるいは器具の拡張講座キット、ソフトウェアとあき、アクセス、アプリケーション
のためのリストをヒツト−
図示しなさい(キー、部分機能のためのすなわち、の間に、ただ映画、ただSMSだけでの振動一
アラーム、フィルター機能、広告などだけを例えばしなさい。))、
追加のインフォメーション、その認可と1(人・つ)のための村あるいはいくつかのラジオ
(自転車、自動車、家)宮殿、あるいは同時にキー、あるいは間に合う等しくない一
ガレージ全体のための例えばあるいはただ自動車だけなど。)そしてM支払いのために同UくRFID
一タグーとそれ以上のアプリケーションのように。
【０００２】
発明と新しさ
これまでのところ・一(人'つ)もないようになるまでM支払いアクセネー
コントロールとラジオ宮殿アプリケーションのための
保証された解決のカメラ携帯電話と妨害ステーション。特に異なった新しいGSMとBluetooth
ラジオ宮殿のために自転車、オートバイと個人の自動車においてなかった元気なaS.がシングル
rをトラックで運ぶか、あるいはさ6にガレージー
だます(とき・か61につれて・ように)、アーキー、その賃貸は直接か、あるいは間接的なGSM一
ネット借り方で銀行預金口座の上にもう、NFCの上に、指紋センサー
と一緒に特に同じくM支払いアプリケーションをリードした。このようなRFID一
タグを持っている不動産の登録においての設備が整っている現在のRFID一
タグ出願が同様にそれに与えない同UくNFCと一緒の携帯電話の上の。
特に、ないにもかがわ6ず、それは同じく基礎を置かれたM支払いのNFCの上に他が新しいという
状態で、指紋センサー身元確認の上に器具管理されたでこの新しいアプリケーションになることがで
きる、そしてラジオ宮殿でリストの上にソフトウェアで基礎を置かれたアプリケーションの
Bluetooth一モジュールを統合した。
【０００３】
技術を我慢した
技術が立っていた、携帯電話キーは下記においてと同UようにGSMの上のリストあるいはBluetooth
トランシーバーである。すなわち、
続いている重要な機能がすでに携帯電話を持って存在して、そしてAIORK
として個々に明白で主張されることができない、しかし目録に載っている新しい「鍵」の下にもっと
遠くにもちろん終わるなどした。
これ6の1と共にここでただすでに既存の携帯電話のカギ、番組などの後に。1
一1ロール、他のいかなるソフトウェアダウンロードゲームロツテー
リーム(1リーム=50C枚)株式取弓1所ビデオでもと音楽
ダウンロード・金・支払いと現金取引に電話をがけlHlg11.、211の緊急コrル
ー自動車ガレージとオートバイll
「1っのリモートキーの宇宙」特許(A工ORK)は携帯電話あるいはそんなもの一シンビアン、
Openwave、ノキアあるいはシーメンスのようなソフトウエア会社一のためである。
指を持っているか、あるいは直接のバイオメトリツク確認で口頭のインプット缶一杯はされる。
【０００４】
それ以来少なくとも認識とダイレクト支払い、小荷物配達をRFID一タグを付けなさい。
llバイオメトリック(一
の指紋を取りなさい)センサーと二重の2番目のアカウントコード(なんと直接のネットであること
か)を持っているアクセスーコントロールファンクrがNFCの上に同じくすべて(GP、GSM、
Bluetooth)が確がに新しい(自転車)宮殿と
無線連絡する(とき・'か6・につれて・ように)である、AIORK
のこの特徴がすべてのためにそうであるl1力氏11rなど11.
1でrつの再び同じぐ6い同じく独創的な携帯電話と型がたくさんのセンスをする、排他性があるか
6、それでそのgはすべて1つの細胞でだけこの似ていないに電話をかける
【０００５】
キットが絶え間がないWeb
送信、どのラジオ宮殿かで、あるいはあなたたち自身、NFCとバイオメトリック
フインガーrプリントあるいはカメラセンサーあるいは装備させ6れた言語一認識一
ソフトウエアは言うまでもなく/がそして次にBluetooth
と一緒に、リラックスさせるそれ自身とボルトを開くほどWAP一携帯電話あるいは付加一拡張講座
一はそうである、まだ今までなかった。そして一
青いr歯、NFCと赤外線のトランシーバーあるいは細胞が支払いアプリケーションのためにNFC
-RFID一タグ読者と一緒に電話をがけるGSMにもうではなくどんなラジオ宮殿でもあった。
明6がに、BluetoothガレージーTがあった
洞Uく携帯電話あるいは一11、元気なas.が自動車のためにキー(交流)あるいは中央に
一ロックされますを結んだ(とき・か6・につれて・ように)、NFCトランシーバーと一緒の
RFID一ふだあるいは他のNFCトランシーノ、一が読み終える付加一
キット、がそこ(に・で)増強されてまだ、特にバイオメトリック認証指紋一センサー
と一緒に、そして直接ではなくケーブルの上にそれにいなかったlIlNFCはただ鮮明度毎に存在して
いるだけの13・56MHzの周波数と容器の上にフィールドコミュニケーションの間際である。
幅10センチが送信する。携帯電話あるいは一NFCあるいはBluet。。thとさえ一緒の
拡張講座キットとバイオメトリック
(指紋)センサーの組み合わせが今までまだそれを与えなかった。
1一NFCと共にそこ(に・で)携帯電話あるいは拡張講座キットの組み合わせではなかったか、ある
いは同様に今まで81uetoothとバイオメトリツク(指紋一)センサーをイーブンにして、そして.
同様に、ダイレクトを持って来るllようにll.M一支払いなど。敏感なDがBluet00th
とr緒にスパイ活動駅が好きではないか6、.利点しなさい
【０００６】
発明の代表
特有の組み合わせの後にこれ6すべての新しい(の・もの・人)のために(錠ループ)RFIDなど。)
携帯電話あるいは拡張講座キットでの特徴がこのAIORKで明白で主張される:
もう1人の人のAIORK携帯電話あるいは拡張講座キットの携帯電話の一キー.
セットの転送と認可のために
一キーソフトウエア(もしこのBluetooth
が転送を解読する、たたき切ったな6)がなることができた最後の最も新しいAIORK
のダウンロードのために
一GPSを持っている自転車、GSMとBluetooth一モジュール
ーNFC/Bluetooth/WいN
の家・ガレージと部屋ドアあるいは映画館スポーツ機会、公共のトラフィック、駐車場場所と駐車場
な」ビザ/マスターカードなど以上のような直接の支払い取引和解を持っている水門。Bankomat
o
-Bluetooth、W一いN、GSMの認識、関係、ボード、ボート、移動GSM一宮殿、BarらA'oxの中の
UMTSRFID一タグステーション、携帯電話、PDA
、ラップトップ、ビーマースとすべての他の錠、錠を開けてください
と調節可能な電子器具(台所、庭、ガレージのために)
一方法記述ソフトウエアと友人たちなどのためのLBS通知。
一ニュース、インフォメーション、報告書、ハンドブック、RFID一
タグの広告あるいは他の(bluetooth)駅とv,。望まれるフィルター(トピック、味)の後に調節可
能なステーションの組み合わせでのa.
一RFID/B一uetooth/WいN広告などと一緒のフィルター機能例えば。(ヘッドホンなどの上に。)
一速い登録とRFIDの妨害、Bluetoothなど。
日と日を持った登録されたプロダクトのすべてのロックループインターネット.WAP.
サイトか6。
一学生だち、友人たち、家族、キー調整一機能と一緒にどの電話一あるいは行動一
レセプションあるいは.登録一のタイプのために医者緊急時評判。
一束縛あるいは学生、学生あるいは犯罪者、の携帯電話のために教師一あるいは当局、クラブー
の主任か6のそれ、あるいは家族頭携帯電話が舵を取った、が錠などをすなわち、する。
似合われた。
一車連続一あるいは自転車乗り一
、が即興演奏して、自転車あるいは個人の自動車あるいはトラックあるいは他のロックループプロダ
クトのために(犯罪者と一緒に)恐怖こユースシステム1(人・つ)と分離を事故一推進する。
一インフォメーション(レーダー一落下あるいは他のサービスのコミュニケーション)へのクラブ
ーすべての可能性(一
広告すること)シグナルと中止された優先へのテレビあるいは他の電子ステーション、メディアと器.
具の自動の姿勢によってd.ユーザーを受け取った。
弔しいくつかの携帯電話があるエリアの好みに調節されるな6、彼女!
それはもっと良くインフォメーションを払われたaS,が輝いた同様に望まれる大多数のなる。
【０００７】
A工ORKの独創的な活動と新しさについての説明
我々の2のために錠ルrプとAIORK
特許登録証明書が他のいかなる会社にも許されない、あるいは我々の認可がない組織下記がここ(で
・に)再び機能、器具ドライブにおいてのアプリケーションを記述して、そして主張した二
同様に細胞と同じように電話と水門においてこれ6の身分証明書はそうする。1一すなわち、
ただ我々だけ1映定するそしてそれは携帯電話において(缶詰めにしなさい)識別されて、そして売
り込み(認可)を水を流して洗うIl(これに番号を付ける)llRFID一タグ1一.
【０００８】
"(s)と記録RFID一
タグ数が似合峨同一で樋と麗歴る人は枕皆嚇硬磁蹴せるl1衣類施し・はス
ポーツー論文一'
製造業者、あるいは特に他の人た611世界的に知6れているシングルが錠ループスタンド芸術とV.
を増やすという状態で、電子メーカー会祖1.a.同じく申し出6れた許可証への錠ループのロゴ。1.
クレームのロックループ下にrが直接ブランドロゴでのRFID・
タグあるいは服ペーパーが統合されるということである。錠ループのロゴはすべての高品質の貴族1
と一Sのために「不可欠」になる
【０００９】
ただ我々だけが知性の間1つのWebプラットホームを動かす。5つの異なっている
rが新しいアプリケーション
(携帯電話と水門身元確認・登録・恐怖・オリエンテーション・再売却)をする。
【００１０】
A工ORK発明は排他的なオープニング、ロックされます、方向づけなど1つの携帯電話のその身元確認
である。RFID一タグが6向こうのフィールドコミュニケーションの近くに同じくBluetooth
以上として、WいNと我々のすべての他の新しいプロダクトのGSM
はラップトップ、ビデオカメラとV.で好む。a.ラジオー.
同uく他の車あるいはガレージとドアとしての宮殿く自転車)がリードされることができる。..
(お互い会社特に
「はそれぞれこれ6の新しいアプリケーションのそれぞれの個別の(の・もの・人)のためにセル電
話一一彼女のr(ソフトウエア)一がそうしなくてはな6ない皆について1つのHをする
【００１１】
llもし同じく「NFC一トランシーバーの特徴コンビネーション、パイオメトリック
(指紋)のクレームのためにIl一一1センサー身分証明書、GSM一モジュールとWeb
プラットホーム」l1携帯電話としてあるいは我々クレーム電流が、それか6、することができる拡張
講座キットという人の上にll、峨々は同じく最も良いアクセスー
コントロールの保護権利、そしてそれがなったダイレクト支払いはむしろとにかくと比べて極めて連
れて来ることが難しいNFCアプリケーションに興味を持たせるすべての競技のこのアリンー
1が主要な特許を持っているアプリケーションである、なるIlなぜな6ただか6一1デイII
【００１２】
もしまだダイレクトに追跡一アプリケーションーKonkurrentenがいるな6、それは
www.verilocaUon.com、携帯電話オリエンテーションのためのwww.traceamobile.comである。
これ6の供給者がGSM一ネットの上に同りくすぐに再びそれ自身としてGSM一ファンクー錠
のために駆け出さないことを許されるという状態で、しかしなが6、(彼・それ)6自身
/錠を開けてください携帯電話オリエンテーションは特にこのようなプロダクトが述べる元気なaS.
として述べる。
我々がそれのために「錠ループ」特許における中央のデータ保護クレームを提出したか6認可くオー
プンと錠)ファンクで「同じか6今オリエンテーションの
【００１３】
IIWap-Handysは常に明6かにGSM毎にそうすることができた一11あるいは1IGPS一
ネットさえ位置しているII、1Iけれども乱用のためにしかしもしそれか6ただ完全に彼女/それ/
(彼それ)6を止めるために、何かについて、しがしなが6、GSM一オリエンテーション
がもう可能ではないな6(携帯電話にそんなものを送6れた機能一障害一指令を通して)彼女/
それ/(彼・それ)6を完了することはできなかったII.
【００１４】
llソフトウェア、それが多分位置しているためにそうである一がとして他の携帯電話の上GSM、
BluetoothあるいはWいNの上に再び止め6れた携帯電話を結局のところするAIORK
で同Uくただ11(ここの元金1同じ)1トが一シュロッサー(GS咋装置)に怖じ気づくGSM
が同じぐ6い同じく開かれて/錠を開けてくださいするlI.
とにかく、我々は同uくセルとしてのラジオ宮殿に対して電話などを感じている。
ただもう1っのこれのための我々のrロックループ」特許、GSM一装置
・(携帯電話そして/あるいはラジオ宮殿)に対する追加のデータ保護クレーム、なぜな6GSM一
シユロツスと一緒にホーム刑法制度あるいは子で判決を下された
【００１５】
A工ORK一ソフトウエアを持っている同じく携帯電話のような我々のラジオ宮殿はGSMとGPS一
ネットの上に今同じくそれ自身としてまだたださ5にトラックがなる設備が整っている携帯電話の
Bluetoothと一緒に終わっているのと同じぐ6いよくそうすることができる、そして、再び
/錠を開けてくださいに(作用することが可能であるようにしなさい)、追跡が常に多分GPSと
GSM一ネツツの上にそうであるもので、特に同じく今すべてのBluetooth
の上にとさえ同じぐ6い同じく彼/そのGSM一
装置(携帯電話あるいはラジオ宮殿)完了するために(外国の使用のために、作用するために
を作るために、)を開くことで、それは今可能であるA工ORK一
ソフトウエアで、それはもしかすると最初のときが同じく携帯電話、ラジオ宮殿、を止めたというこ
とである、あるいは何でただ彼/
そのコードで彼自身所有者でのトラックの電子プロダクトが同様に彼のをaS.する!その認可、
A10RK一柔6かいr用品、は脇道にそれることができて、そしてそれ自身にストップすることを彼/
その携帯電話可能性とさもなければ常にGSM、GPSにすることを許す、BluetoothあるいはW
いNオリエンテーション可能性が提出される、これ6のステーションを越えるすなわぢ、
、まだ可能な止め6れたGSM一装置によってのオリエンテrション、がそうである。IlAIORK一
ソフトウエアllアーrのみ一1
【００１６】
lIこれ6の分化は特許出願になされた元気なas.の流れとして他の携帯電話の大規模な利点をもた6す
llあるいはとにがく我々のラジオ宮殿オリエンテーションのために例えばの反対に。11「Verilocation」
、同じぐ6い同じくと
にかくこれがいっそう我々の「錠ループJと「AIORK」でされた特許の流れがそうであることをはっ
きり示す「モビールを追跡しなさい」携帯電話方向づけIl.RFID一
タグ、電子プロダクト、ビデオカメラ、ラップトップ、ラジオ宮殿とセルのための
我々のすべてのプロダクトオリエンテーションの横のビーマーが不幸にも子供たちあるいは
に電話をかけないことが不
運である我々の「錠ループJ特許が再びまだもう独創的ではなかったか6ほ6、ただすでに現在の子
供たちとVになぜな6再びそれは独創的である。判決を下されました一大騒ぎ一手がせ一シユロツス
ー追跡が、元気なas.として認知された追跡特徴を持っているGSM一
装置を開発することに、素晴6しい特許保護としてここにおいて元気なas.として作ったa.
は発明された。
【００１７】
Wap一
携帯電話追跡サービスに欠けているこれの理由は、(彼・それ)6がむしろもちろんそれほど再び買
う
べき必要な携帯電話に値するが6、携帯電話産業が再びをするために(どれ・何・誰)も興味を持た
せる(te)、盗まれた携帯電話、を持っていないということである。ラップトップのための同じ。
まあ我々はこれ6のGSM一プロダクト、一追跡
一アプリケrション、自身に今それを通してこのような保護権利を提出して、そレて同じくこのLBS
のためにこれ6のプロダクト〈GSM一装置)だけではなく需要会費も追い出すことができる。
【００１８】
数字とイラストの記述
発明と有利な実行はここで図式の数字とイラストに対する参考文献で記述されて続いている。
これらは見える:
図1彼女/それがディスプレイの上に同様に器具をaS.
するのとまったく同じように、リストの一般的なAIORK一
ソフトウェアの機能とアプリケーションの表示が見る
図2最も重要なステーションを上場すること、AIORK一
ソフトウエアとハードウエア解決のモジュール、機能とアプリケrション
図3Blueto。th一車のラジオ宮殿のモジュールーと一緒のAIORK盗み一保全一解決
の機能の代表
【００１９】
記述
これ(GSM、Bluetooth)「1つのキーの宇宙Jはあき、アクセス、アプリケーション、のためにカ
ギ、部分機能のためのすなわち、(ただ映画での振動一アラーム)の間にただSMS
、フィルター機能例えば広告など器具、ソフトウェアとリストで
(AIORK)(アクセス、数、パスボートーWord、ID、身元確認陽イオン、認可)である。))、
1(人.っ)あるいはいくつかの宮殿あるいは鍵のために同時に追加のインフォメーション・認可と
村、あるいは間に合う等しくない一ガレージ全体のための例えばあるいはただ自動車だけなど。)
そしてこの卵
弔う1人の人の携帯電話の携帯電話の一キ一一セットの転送と認可のために!
一最後の最も新しいAIQRKキーソフトウェア・もしWLANのダウンロrドのためにこのBluetooth
、NFC、IRなど。転送が解読されることができた(たたき切った)
Kモーター付きの一)のために一宮殿自転車、車に無線を打ちなさい
一ラジオ家、ガレージと部屋ドアあるいは映画館スポーツ機会、公共のトラフィックなど。
一直接携帯電話か6携帯電話へのM支払いあるいはMP3一
プレーヤr、キャッシュ・レジスター、自動販売機、が流れ出る。
一ビザ/マスターカードなどの上に直接の支払い取弓1和解でラジオー流れ出る。
一(NFC、Bluet。。th、W一いN、GSM、UMTS)関係、ボード、ボート、移動GSM一宮殿、
Barryvoxを持っているRFID一タグ、携帯電話、PDA
、ラップトップ、ビーマースとすべての他の錠、錠を開けてください
と調節可能な電子器具(台所、庭、ガレージのために)
一ポイントAが6、B.の後に舵を取6れようとした方法記述ソフトウエア。
一ニュース、インフォメーション、報告書、ハンドブック、RF工D一
タグの広告あるいは他の(bluetooth)駅とv巾望まれるフィルター(トピック、味)の後に調節可
能なステーションの組み合わせでのa.
・広告などを持っているフィルター機能例えば。
一速い登録とRFID一タグの、そしてRFID一
タグを持っている登録されたプロダクトのすべてのロックループインターネットーWAP一
サイトか6の障害。
一学生たち・友人たち・家族・キー一調整一機能と一緒にどの電話・あるいは行動一
レセプションあるいは.登録一のタイプのために医者緊急時評判。
一束縛あるいは学生、学生あるいは犯罪者、の携帯電話のために教師一あるいは当局、クラブー
の主任が6のそれ、あるいは家族頭携帯電話が舵を取った、が錠などをすなわち、する。
似合われた。
一車連続一あるいは自転車乗り一
、が即興演奏して、自転車あるいは個人の自動車あるいはトラックあるいは他のロックループプロダ
クトのために(犯罪者と一緒に)恐怖こユースシステムEinと分離を事故一推進する。
一インフォメーション(レーダー一
あるいは他のサービスのコミュニケーション)へのあるいは積乱雲カードを持っているクラブ
ーテレビの自動の姿勢あるいは他の電子器具
キャッシュ・レジスタrにおいてあるいは登録されたプロダクトの販売において、所有者が登録され
た数に名前を出版するためにただ認可、それだけを持っているが6、相互に専有の変更の単純な機能
で確証されることができる。
【００２０】
それは人が多いエリアノエリアにBluetooth
あるいは他の駅で、あるいは他のどこか(に・で)、そして携帯電話のオリエンテーションになだれ
などで元気なas.器具として人々のためにオリエンテーション機能を元気なaS,携帯電話だと示す。
携帯電話の上に携帯電話ネットに元気なas.として器具にBluetooth
あるいは、識別番号で輝いて、そしてコンパスソフトウエアを持っているすべての器具のオリエンテ
ーションを可能にする他のステーションでWeb
プラットホームあるいは他のものが運ぶ同uくすべてロックループに数を識別した携帯電話で。
【００２１】
A工ORK一ソフトウエアはNFCあるいはBluetoothなどでなだれ犠牲者1一
のシグ州、時計、モーター、ある艇軽難管理した。
【００２２】
ll一ふだがただ携帯電話ソフトウェアが同じく記述するこのAIORK
か6だけ同様にとして英数字キーコードに共感することができないRFID
。ll(密かに、保護された川ボルトで締め6れるll.
【００２３】
AIORK一ソフトウエアは、RFID一タグed:のアドミニストレーションに、そうした。)
一つのロックループWebプラツトホームヘのアクセスが同じくいくつかの同じぐ6い元気なas.
にすべての他のウェブサイトが好きである。
【００２４】
服を着ているRFID一ふだあるいはBluetoothプロダクトのインフォメーションがAIORK一
ソフトウエアに関して洗濯機、TV、ビデオカメラあるいはレコーダーあるいはモーターあるいは他
の(電子)プロダクトのような器具の上に転送されることができる。
【００２５】
AIORK一ソフトウエアは管理して、そして番号あるいはRFID一タグのか、あるいはBluetooth
ステーションか6のインフォメーションさえ伝える、そしてそれは携帯電話の犯罪か、あるいは暴力
的な手に登録される。
【００２６】
AIORK一ソフトウエアはW一いN、IRを区別する、GSM
とGPSは同じく動物、人々、のシグナルか6Bluetooth、RFID-
NFC、の間に器具に信号を送って、そして同Jく同じくステーション
送信か6外に他のもので転送を受けたようにそうすることができる。
【００２７】
A工ORK一ソフトウエアは、RFID、Bluetoothについて、(彼・それ)6/彼女/
それは助けになった、と全二重の値拡張ハードウェアの舵を取る一
あるいは、そして他のステーションを識別するために。
【００２８】
Bluetoothと一緒に、それがそうするべきであるのとまった<同じようにW一いN、IR、Hard
と同じくNFCのためのvがRFID一タグを付けるGPあるいはGSM。a。
ソフトウエアを与えなさい、それはソフト.ウエアがセレク
ションに与えることができるもので、マルチ機能的な日のに、音響学上、あるいは視覚的に羅針盤の
ような指示を宣言するか、あるいは非常にある特定の日の、(袋の例えば
キー連合)の後にオリエンテーションをすることができる。
【００２９】
Il.AIORK一ソフトウェアがドアで/そのために剛くなるllあるいはBluem・thと噸のGSML・s
「un
r情報(ただクラシックな携帯電話だけではなく)あるいは他のステーションモジュールの使用を持
ったすべての他のラジオ宮殿、Bluet。。thあるいは他のステーションモジュールの上にlDで
にすべての器具の登録を許して、そしてイ
ンフォメーションを伝えるあるいはアラームが放水路でロックループWeb
プラットホーム以上が好きであるIl.
【００３０】
AIORK一ソフトウエアはRFID一日一あるいは身元確認あるいは身元確認器具と同じぐ6い同
じく製造業者シリーズのプロダクト数のすべてのデータを伝える。
【００３１】
か6すべてインフォメーション的でソフトウエア、が、処理されて運ぶ一が舵を取るAIORK
を識別したあるいはパーソナルな、物理的な、医療の、生理学の、精神の、物理的なデータ、RFID一
タグか6のそれあるいはBlueto6th.Senderなど。運ばれる.
【００３２】
AIORK一ソフトウェアは再びBluetooth、RFIDなどの上に我々のロツクループラジオー
manorhouseあるいは他のものの生物学の、そして生理学のデータと値を識別する。
ラジオがデータを伝えた。DE10132759、DE10102564、DEl0058157
と記述された携帯電話特徴のDE10058156がさ6に同じく我々のA工ORK一
ソフトウエアで移される、そして我々のGSM一フアンクーFahrradschlosserはVitaphone、
DE10140968によって発表された二発明DE10204028を終えた。それはAIで同じく我々の拡張講座.
キットの上にGPS-LosungのVitaphone携帯電話になる
【００３３】
AIORK一
ソフトウェアは直接、あるいは間接的にセキュリテイーのすべてのロックループ送信を処理しました
。すなわち、もう1つはひどくてあきれました。ロツクループウェブサイトが元気なaS.として
AIORK一ソフトウエアか6kontaktieπ
になることができない逆もまた同様である正確にすぐに同uく.
【００３４】
AIORK一ソフトウエアは電子ラジオ(自転車)一GPS、あるいはGSM一
モジュールが持っていない宮殿一、しかしただ(Bluetooth)一ステーションーだけ一
の無人飛行機を管理した。IIラジオ宮殿あるいはBluetooth
の「泥棒を捕えなさい」機能が能力がある電子プロダクトを(彼1それ)6/彼女/
それ(Bluetooth)の上に送る一
11シグナルを直接この近接に立っているそれぞれの携帯電話(このようなAIORK一
ソフトウエアを持っているクラブメンバー)に配置する、これが泥棒あるいは心なき破壊者を止める
ことができるように、あるいは直接!間接的に警察あるいは所有劃1あるいはl1
【００３５】
AIORK一ソフトウエアはBluetooth、GSM、あるいはGPS一
あるいは他の携帯電話コンパチブルのステーションでBarMoxes
を識別して、そしてローカライズする。
【００３６】
AIORK一ソフトウエアはタンクrsaurlen
、自動販売機あるいは他の無人の器具でNFCの上の絶え間がないWeb送信あるいはBluetooth
で支払いトランザクションを処理します。前に携帯電話不可欠、そして'あるいは間と/
あるいは中に燃料あるいはガソリンポンプにおいての陶器あるいは弓1き合っているオフィスにおいて
'の自動販売機の言及の後に拘束されているか、あるいは限界ですBluetooth,AIORK一
ソフトウエアはこれ6の器具で、あるいは水門においてその時の広告インフォメーションを伝えて、
そして1人になされたすべてのデータ記憶装置(Tra)をとります
【００３７】
A工ORK一
ソフトウェアはただ車宮殿だけではなく開いて、そしてそれに掛け金をかけるが、携帯電話キーボー
ドの上に直接同じく開くことと衝撃、cowlingS
の動き機能のロックされます、のような他の機能として同じく
開くことと個々のドアのロックされますの舵を取る。1で、起動は前の左などでドアあるいはラッド
ーシユトースrdampferである、2で、cowlingな5がCabrio-Verdeck
である、船尾タブが0にある。
【００３８】
元気なas・.・携帯電話・が明6がにさえ同じAIORKである(とき・か6・につれて・ように)・
AIORK一ソフトウエアで同様にディスプレイをas.
して、そしてラジオ宮殿においてと同JようにロゴとRFID一タグをロツクー輪にしなさい。
【００３９】
AIORK一ソフトウエアはセル電話番号の速いデータ伝送をNFCの上に同UくA工ORK
のすべての認可あるいは他のインフォメーションとして可能にする.あるいは特許登録をロック.
輪にしなさい。(彼`それ)6の記述されたプロダクト、アプリケーションと解決。NFC一
スネルーFunktionが駆け出している一般的な遅いBluetooth-Funktion/あるいはNFCの上の
Datenubermittelnの後に完全に近接近くの中に可能なあきが携帯電
話に導く直接の(人たち・もの)をラジオ宮殿あるいは他のNFCあるいはBluetooth
と共に有能にする
【００４０】
AIORK一
ソフトウエアは直接の引き合っている可能性をバス、トラック、飛行機にして、スキーリフトー
交通違反チケットを切って、そしてNFC、BluetoothあるいはGSM、UMTS-UebermitUung
を使ってキャッシュ・レジスターをストアする。11価格が前になるll、他方11そして/
Ilあるいは旅行、サービスの後に購入をするか、あるいは変更されることができる1一.
それぞれのトランザクションがロックループWebプラットホームの上に直接移される。
【００４１】
携帯電話でのAIORK一ソフトウェアはこのすべてで宮殿あるいは接触での(の・もの・人)
に強化されたユニット(時計)と缶詰WいN
無線交信の身体においてあるいはで固体である、ただバイオメトリツク信号(指紋)で一緒に
Bluetooth、工R、この補償機能でコードあるいは言語称賛を実行するか、あるいはもし1
(人・つ)であるな6入力するなどする。)伝え6れた認可。
【００４２】
lIデータがセルか6似合う専門的な生理学の一(自転車)が1(医療のセンサー一)単位
Uebermittelungを通って時計あるいは握りのBluetooth
の上に(どれ・何・誰)にでも電話をがける11そしてロックー
の上にループサイトを指名して、そして医者へである11.
これ6のユニット・緊急ボタンにおいて、フライrsprechanlagen
あるいは他の電子の専門的な解決が差別を撤廃したことがあり得る。
【００４３】
一ソフトウェアが可能にするAIORKと電子現金システム(ECS)を管理した。一
所有者がそれ自身に相互に金に与えることができるか、あるいはロックループWeb
プラットホームあるいは銀行の上にAIORK一
ソフトウェアに関して、あるいは直接携帯電話か6携帯電話までNFC金量の上に登録されて貸して
、そしてそうさせることができる携帯電話が銀行あるいはロックループ登録の有無にかかわ6ず入っ
た。ディスプレイの上に、現在の、そして最後の現在の支払いと会費は獲得される。
【００４４】
バイオメトリックでアイリスーあるいは感覚の指紋一Erkennung
がそうである音響の言語、あるいはいっそう視覚の顔、の上の認可がECS取引を確認した。
もし1以上、2、3であるな6、ECSはロックされる。.,NFC一
読者プレゼント、認知したそしてあるいは確かに存在する。しかしなが6、AIORK一ソフトウエア
ECSは同U機能と原則で同じくBluetooth一ネットあるいはGSM一ネットを使う1AIORK一
ソフトウェアの購入で・1人はそれに応じて多くのためにBon-Robd-Geld-Aquivalente
あるいは本当のGeを手に入れる
【００４５】
1トランザクションの1パーセントが支払いとしてロックループWeb
プラットホームにおいて安定している!ロックループプラットホームの上にあるいは直接AIORK一
ソフトウェアでさ6にBon-Robel-Geld-Aquivalenteあるいは本物の金が(の・もの`人)一
罰を受けることができて、そして取り交わされる、そしてそれ以上のウェブサイトweiter
rに取引がAIORK一ソフトウェアに関する。
【００４６】
AIORK一ソフトウエアはもっと近くの、それ以上の距離と異なった工C
のに、あるいは異なった技術あるいは異なったencodings
あるいは項目についての異なったインフォメーションでゲイツとr緒に回転式木戸の有無にかか
わ6ず同じくいくつかのRF工D一リーダー身元確認システムを規制する。
【００４７】
AIORK一ソフトウェアに関して、異なっているの電子で、そして機械の、生物学のプロダクトの
Funktionsr制御は特にBlueto。th.、W-LanとNFC、と器具などになる。geman
rが老朽化した。
【００４８】
1一AIORK
をllそうすることを可能にされたソフトウェアがさ6にとしてある期間の上に同じく電話での会話
でのあるいは犯罪現場確認を持った日の周囲のRF工Dの一瞬受信を記録する一は写真にそしてでr
weisrrmittel
であるが、あるいは同じく話題に電話をかけさえするllそしてそうするためにI1直接伝えるlI.
電話聞き手ζ一緒に、彼/
それがこの動きか6知識を手に入れるように、対応するシグナルが伝え6れる。
【００４９】
ラジオ宮殿が伝え6れることを見いだすことができるAIORK一
ソフトウエアに関して、よくそれぞれの携帯電話とそれぞれの人間をaS.するように、元気なaS.
としてすべてのプロダクトが登録され得ます。もし彼/その携帯電話のgefahrrIicher
の人間がもう1(つ・人)の近接に入って来るな6、1人は携帯電話へのas.が伝えたむき出しの
Distanz-Rayonsが同様に恐怖一合図する定義された調整rを取りに人をやります。AIORK一
柔6かい「用品はこのDatenschutz-Rayonsを規制して・そして登録された違反でautomartische.
バスを置くか、あるいは危険にさ6された(人たち・もの)に、Passaにおいてアラームを送ります
【００５０】
llもし平6であるな6・守6れての近接の中に盗まれた生産物と一緒あるいはピストル自身と一緒
の人を改良しなさい(性格、オフィス、公正あるいは軍の一11地域)ll、wer
rすみか引き上げ6れて、そして恐怖のとおりに送6れた保全ステップ、来るll.
もし犯罪者の人がピストルで、そして混乱状態で登録されるな6、組み合わせがandernAIORK一
ソフトウェア携帯電話に計算されていて、そして高尚なセキュリティーのステップ、いっそう緊急の
、そしていっそう重要な提起された恐怖プライオリティとuberrmi辻eltにある。
【００５１】
携帯電話がそうすることができないA工ORK一ソフトウェアただエスケープでのAttracktions-
Alarme
の逆転と危険アラームが上記の(人たち・もの)か6最も異なって存在することが言及したrBluec
king」しがし同UくRFIDと同じぐ6い同じくただ同時にrをつり上げるGSMr、〕ocking
、がヘッドホンあるいはbiomechanische
、同じく同じぐ6い他の通行人、会社においての物理療法rlogische周囲器具においてas.
プライオリティステップ、そして直接同様に個人の、外国の、社会的な、そして社会的な
umgebungs-Sicherheits一そしてPraferanz一弓1き上げ6れる
【００５２】
z.BのようなプロダクトのAbklarungenがA工ORK-Software.
保護物、ランプの上に似合われるという状態で、RFID一タグあるいはBluetooth
を持っていてそしてないモーターデータが多分同様に他の125KHz周波数をas.します。あなた/
(彼・それ)6は医者、薬、生理学、パスポート、あるいは株式取引所インフォメーシ
ョンのためにスマートーカルテンのためにバイオメトリツクデータ記録を管理しました。
【００５３】
携帯電話と組み合わせ6れた受取人/ステーションがロックループあるいはRFID一.
タグ、が置くチップ、trackenとプロセスをつかむことができる。GSM、UHF、はBluetooth
これほど向こうにいくつかの受取人/ステーションシステム(W一いN)などである。).
バイオメトリックあるいは他の認可以上が携帯電話か6それ自身を去る、あるいはインターネツト
ーロックループチツプあるいはRFID一
タグのための(プラットホーム)ロックされますあるいは認可一が/にリードを与える。
【００５４】
バイオメトリツクrエム(指紋、言語認識とアイリス)センサーと他のコンポーネントを持っている
RFID一トランシーバーが外部プラグ、青いr歯あるいは交換一バッテリー
文の上にさ6に携帯電話において同じく拡張講座一キットとしてインストールされることができる。
キット缶詰記憶装置、プロセッサ、GPS、GSM、UMTS
、ラジオ、ゲーム、スクリーン、同じく他の機能とコンポーネントはAIORK一
ソフトウエアが好きである、有用一柔6かいr製品、mech
が執筆認識、バッテリー、カメラ、ランプ、キーボード、Kでrischer
と電子キーとペンをrする装備させ6れた例えば指紋が直接GSMとUMTS
の上に2あるいはいくつかのパーティーあるいはアクセスー
コントロール機能とこれ6のトランザクションの下で例えば
のような短い距離の上にアプリケーションネコr巨chになったロックループが支払い一
作用するようにそうであるように、それぞれの携帯電話/PDA/ラップトップあるいはRFID一
レツサーが13.56MHz、BluetoothトランシーバーとUSB-Stecker
が他であるという状態で、あるいはこのような拡張講座一キットverbun
rすみか、バイオメトリックセンサーを持っているそのファンクrtion、でA工ORK一
ソフトウエアの有無にかかわ6ずNFCにあるが、'あるいは設備が整う
【００５５】
AIORK一ソフトウエアはGSMとUMTSのために同UくWalkトTalki一
とフルのエリートとしてマルチ機能的な送信、受信、とオリエンテーションシステムとマルチ機能的
なオリエンテーシ…1ンシステム、どの転送がステーションを所有するかである一.
テレビのこの受信と無線信号です、Korperreigenen
データ(血圧、心臓頻度温度)、GPS(ansteckbarerAussen-Antenne
と一緒に)とある同じく多分探知器と同じぐ6いなだれ犠牲者一顕著な鉱山とコイン。
【００５６】
同じく指導カはAIORK一
ソフトウエア、マネージメントの(人たち・もの)、「Tbay」輸送、と同じく碁の中に一WAP-
Pla出orm(Nachfrage-Angebot-Versteigerungs)が統合するインターネットになる.
【００５７】
Zusatz一拡張講座・キット、どのラジオ宮殿かでAIORK一ソフトウェアがWAPを管理した
一がそれ自身Handysするオープンあるいは/がリラックスさせるそれ自身とボルトとBluetooth
、同JくNFCとバイオメトリツク
フインガーrが印刷する、あるいはカメラセンサーあるいは装備させ6れたSpracherkennrungs一
ソフトウエアがそうである(とき・か6・につれて・ように)、GSM
を持っているそれで、青い、そして赤外線のr歯、NFC、新しいRFID一
タグとインフォメーションステーション(ゲイツと一緒の例えば)とBluetooth
ガレージドアと共に、しがしなしにすでに明6かに働いたフアンクーSchlosrser
と同様、1(人・'つ)でのトランシーバー
【００５８】
AIORK一ソフトウエアは携帯電話を管理した、あるいは一はZusatz
キット、NFCトランシーバーと一緒のどのRF工D一
ふだあるいは他のNFCトランシーノ、一が、特にバイオメトリック身元確認一センサー
と一緒に・読みを終えて・そして自動車のために元気なas・angesghlossenen
キー(連合)あるいは中央に一verriegelungen
として強化されて同様にそれにおいてケーブルの上に直接接続されているなどするかを管理した。1
もしNFCなしで/を持っているな6自動車など。(Bluetooth
以上、は開かれる、それは所有者の携帯電話にラジオ宮殿に自動車のSMSを与える。すなわち、
AIORK一ソフトウエアは1でBluetoothの上になる
【００５９】
A工ORK一
ソフトウェアは移植された器具の生理学の、生物学的な、医療の価値のために同様に金を持っている
バイオメトリック携帯電話センサー、動物あるいは人々の有無にかかわ6ずRFID一
タグのために身元確認を可能にします。これ6のRFID一
タグで、それ以上の機能がもしかすると例えばのように数えることについての金あるいは
Verbuchungenにあります。すなわち、Raum-Zeitlimiteの中でカメラとすべてのBluetooth一、W一
いNなどの上に日のすべて、あるいは本物の写真でさえ数え6れます。
ステーションが速力を増しました。
【００６０】
一一携帯電話あるいは.拡張一キットが同じく1人の読者か6だけ元気なas,日akzeprtiertが指紋
/Sprachrの上に例えば
で、もしある個人の認可であるな6、なるようにそうすることができるlIアーrkennung
と存在することがそうであるデータベースの承認11.
それで、アドレスと金がただそれが6NFCなどの上にそうすることを可能にされる。購入/
販売が伝え6れるか、あるいは個人的な認可のバイオメトリックで受け入れ6れる。
【００６１】
バイオメトリックで携帯電話、あるいは、拡張一キット・認可が同じくただ「Blu匂acking」コン
ピュータ、自動車、スタジオ、家、広告、支払い、エントリーだけに許可されます、飲物、食事と
Medikar男性たちが10Automatenの医学の生理学とやっていける記録一器具を一rします、
Tur-Oe斤nungs-undFemseh/ラジオ「調整」は処刑されます、そして/あるいは同じくNFC
/Bluetooth/赤外線のモービルrtelefonあるいは直接近接でのあるいは他の反対と接触している,
拡張一キットがそうであるように。
【００６２】
もし識別されるな6この数が盗まれて報告される(RFID-Bluet。。thW一
いN)が一緒に識別される、プロダクトである番号を登録しない。AIORK
あるいは錠ループの入場料がないプロダクトが区別される。
【００６３】
I1始めることにおいて、AIORK一
ソフトウエアはこれを処理した、あるいはどんな携帯電話あるいはBluetooth以上か6の彼/
その識別番号あるいはもう1つのステーション周波数、それがそうである器具のビデオCarmera
活動でも受け取った始まりはセルのそばにであってllAIORK一
ソフトウエアで電話をかけて、そしてそうであるl1管理するll!AIORK一
ソフトウエアがすべての可能性(一広告すること)シグナルと中止された優先
(アプリケーション)ライト、AirconditioningへのTVあるいは他の電子ステーションと器具
の自動的な態度を受け取ることについて管理されます、
【００６４】
NFCの上に、AIORK一ソフトウェアを持っているそして'あるいはバイオメトリックSensor
Dokumente・Pru仕eileそして/あるいはコントロールステーション容器がない!と一緒のzertifiziert
がPrufLeile、Diebesguterあるいはテスト地域にRFID-TagssorFahrzeug
、飛行機あるいはすべての他のものにある。
【００６５】
insurancesのために、理想的なネコrIichkeitが保険詐欺師を移すためにロックループWeb
プラットホームとAIORK一ソフトウェアである。特性はロックループウェブサイトで3っのMinur
enか6報告された内部のrが(例えば自転車)に盗みをhalbするということであるに違いない。
IlこれのWiederaumndungと一緒に特性11確認された1
か、あるいはバイオメトリックと同じ携帯電話のこれは認可、支払いが何でが6金額を差し引くであ
ろうか
11アーオリエンテーションとさもなければさ6に走って、そして解決しているそれ以上の追跡であるll.
【００６６】
RFID一タグと(コード)が表す、あるいは特定のバイオメトリツクあるいはインターネツトー
データベースでのAIORK一ソフトウエアか6のあるいは同じくリストか6の他Φ認可がAIORK一
ソフトウエアが今日のお薦めの数を発表するように
必要として、代理を務めるが、あるいはそうさせる特定の秘密が元気なas.がA工ORK一
ソフトウエアで、あるいは彼女/それ/
(彼・それ)6の上にこれ6を運ばない(とき1か6・につれて・ように)それ自身番号を付ける他
のステーションシグナルが持つことができる元気なaS.
がさ6に管理した(とき・か6・につれて・ように)Bluethooth一、W一いN!
【００６７】
A工ORK一ソフトウェアはそうであり得る需要が識別したこれ6あるいは容器のある特定のRFID一
タグあるいはNFCあるいはBluetoothとanderr
enトランシーバー(車、パッケージ、プロダクト、バス、賭け、税金、NDA
、エナメルのために)を持っている暗証番号を読み終えることができます、ただ認可の人々(裁判官
と警察)によって{あるいはそれ以上の身分証明書、何で身元確認/Registrierung
がこれに同じくロックループWeb
プラットホームを偶然発見します、あるいは前に要求されるかの権利を与えてください。
【００６８】
さ6なる利点が同様にいっそう完全に機械の盗み保護をas.
する(とき・か6・につれて・ように)ひも通しの穴においてアrzielen
(いっそう我々のスノーボードーBindungの中に例えばが誰にものることができま
せん・あるいは彼女/それは委員会schraubenについてである)がもう1つの市場領域自身を去るr
kleinren(アブ・)シュロッスrchensのインストール。
いっそう機械の盗み保護のこの原則はもちろん同じくロックループ特許で統合されて、そして
A工ORK一ソフトウェア管理されたか6になります。すなわち、ただRFID一チップに王室
vemegelbarenを持っているユニットと皆がRFID一タグを付けるすべての(sichtrbaren)に「登録
一元気なas.自動車数として」がjederrmannsicht
rバーのためにプリントして、そして置いた大きい「ロックループ」があります。
それで宮殿と共にRF工D一タグ盗みについて同じく元気なas..Im忙ationenausgermerzt
としての非合法のイースタンブロックあるいはアジアコピーが合法的にただ我々のプロダクトだけが
garがのVerrslcherungsschutz1つのrtiert
をrするようにするか6なるようにそうするべきです。数は上にしかしなが6同りくAurrfinden
と経営者を許します
【００６９】
AIORK一ソフトウエア以上はバイオメトリック指紋一Spracherkennungsになります、あるいは
携帯電話でのあるいはそれを持っている他のセンサーが拡張講座キットをBankomaten
パークr、自動販売機、飲物の柵とV.と相互に連結させました。一一現金においてのa.
がNFCの上に、そして/あるいは同時に他のBluetooth
の後の(の・もの・人)を示して、そして水を流して洗うか、あるいは魅了するllあるいはllそしてr
ere駅技術アクセスーコントロールとV.lI.a.
はダイレクト支払い機能を処理しました。I1前に、そして'あるいは(durchgerhend
、あるいはサブ休憩にあってください)である問にそして/あるいは不可欠1終わりと/
においてバイオメトリツク認可毎に消費、消費、を始動させる1lあるいはI1保護するIlそしで/
llあるいは終了しています、直接消費は連続的に後に何で/携帯電話のGSM!GPRS/UMTS/WいN
の上にロックループWebボ一夕ルの上に入6れますll.AIORK一
ソフトウェアは確がな借り方とその点検の可能
性が中止されることができるほど、それが最も異なっているという状態で、差しはさまれることがで
きます、それはただuに過ぎません公園エリア、あるいは他の動きエリアが同じくBluetooth
の上にピリオドが決意している、そしてユーザーである元気なaS,
時間がバイオメトリック(フィンガーr印刷)センサーの上にあるいはなしでNFCエリアとエリア
の上に
帳消しにすること.ができるか、あるいは入ることができるか、あるいは断ることができて、そして定
義することができるようにそうすることができる。すなわち、parkierten自動車で例えば
しなさい、彼/それがそれを去るかのように、自動車rmobilistはそれほど公園フィールドあるいは
.Garageの上に引き合わない。
【００７０】
公園エリア、あるいは他の動きエリアが同じくBluetooth
の上にピリオドが決意している、そしてユーザーである元気なas.
時間がバイオメトリック(フィンガーr印刷)センサーの上にあるいはなしでNFCエリアとエリア
の上
に帳消しにすることができるか、あるいは入ることができるが、あるいは断ることができて、そして
定義することができるようにそうすることができます。すなわち、parkierten自動車で例えば
してください、彼/それがそれを去るがのように、自動車rmobilist
はそれほど公園フィールドあるいは.Garageの上に引き合いません。一がバイオメトリツク
でいっそう視覚的にコントロールするアクセス(虹彩、いくつかの目、が向いています(彼/
それ))、同時にある時間あるいは携帯電話あるいは.拡張r
もう1っの携帯電話においてのNFCあるいは.拡張と一緒のキットー
の中でキットあるいはラジオラップあるいはキャッシュ・レジスター、水門が承認ボタンで、あるい
はさもなければ音響学上あき/ロックされます/認可に保たれる身元確認が、視覚的にさ6に同uく
Bluetooth、GSMあるいは他の送り主一Technolorgien
の上に管理されたに管理されたに似合って、そしてこれである場合はを似合います。
I1間にllあるいはそうではありませんI1間にl1
【００７１】
AIORK一ソフトウエアはNFC、GSMあるいはBluetooth
などの上にダイレクト支払いとアクセスーコントロールの近くで管理しました。、元気なaS.
が入ることを許される(とき・か6・につれて・ように)、そのたった1あるいはある元気なas.一
携帯電話でのトランシーバー一としてのそれ以上の対受取人、キヤツシユ・レジスター
、ドア、の番号が取引あるいは借り方1aur沼地を水を流して洗います。Ilすなわち、取引と借り方
werrすみかに対してのスパイ活動がそれほど、同じくnachweisen
、2人のグループ、として、彼女を避けたことは犯罪である/とにかくそノ
(彼・それ)6の認可と借り方と不可欠11確認する1I取引φ前に、.間と後にll.
【００７２】
AIORK一ソフトウエアを通して、緊急コールが公共あるいは個人のInstiturtionrenに例えば
の正確なGPSオリエンテーションでそうするべきであって、そして管理されたがなる携帯電話ある
いは拡張講座一キットという人でバイオメトリツクフインガーr印刷一undSpracherrkennungs一
センサーと一緒にEmergenrcyボタンによって人身分証明書を方向づけます。
【００７３】
IIプロフィールがA10RKで一
入力することができるllソフトウェア、そして、同じく我々の新しいラジオ宮殿でBluetOoth
の上に・そして門・態度とデ,タでausgetausghtが医者・当局・ガレージ・専門家インプット態度
とデータか6特に終わる(とき・か6・につれて・ように)、携帯電話の間にNFC、WいN、工R
の上にただ「Bluejacking」と一緒に好む人、職業、の上に中止された優先、好み、でした1l.
【００７４】
携帯電話あるいはすべて他のPDAなどのために。数は「友人一ファインダー
Funktion」のために似合われる例えばgedownloadedのように携帯電話、PDA
、ラップトップあるいは乗り物で古くなったIntemetsitege男の上にそうすることができます。
「友人一ファインダーFunktion」はBluet。。th、NFC、W一いN、工R、GSM
の上の(の・もの・人)であるなどします。laufenderRichtungsanzeigerは例えばBluetooth、GSM
、W一いN、工Rなどと共に友人たちへのアート・KomrパスあるいはRFID一
タグを持っているプロダクトあるいは他のプロダクトが好きです。我々の「ロックループ」Web
プラットホームについての数であるステーションNaturlichは数でそれほどく彼・それ)6自身
traのrckenに同UくRFID一ふだあるいは電子プロダクトを残します!同じく個々にverrsteckt
か6飛び出すように、見いだされたrすみかがなるすべてがwerすることができます!それぞれの
RFID一タグあるいは電子のプロダクト缶詰getracktwerrすみかがそれONの状態で距離
を定義した付加機能が、離れて、元気なaS.携帯電話としていくつかのラジオイ
ンタフェースの中にそして上にそれを許します。ステーションが、か6GPS一
有用である携帯電話まで、獲得するBluetoothによってのオリエンテーションあるいは他がW一いN
、IR、Bluetooth、NFCの最も素晴6しい、最も良いオリエンテーションでしょうとにかく、
それは携帯電話でなだれ犠牲者のために同じリッチrに入っているコンパス機能の位置を定める
必要があります、あるいはノ、リーーフォックスあるいは友人たちが同様に彼/そのBluetooth
能力があるラップトップ、PDA、ラップトップをas.します、ひれrすみかへのビデオカメラ。
携帯電話で、それはBluetooth
あるいはもう1つのステーション周波数の上に罰金オリエンテーションにソフトウェアを持っていま
す。l1誰ですかl1彼のノそのラップトップあるいは彼のもの/そのビデオカメラなど11.
それは設立されてそうさせ6れてそうすることを望みません
、これは特定の秘密で、配達パケットでだけそうしなくてはなりません、あるいは手動の
mitgeliefertenはコードbz
の効力をなくしますこのコードは登録されたプロダクトのシリアルナンバーと共にロックループウェ
ブサイトで登録で同じく預金されます。車の横に一そしてrsonen毎に・井戸aS.
携帯電話オリ;ンテーションが新しいラジオ宮殿で
ある(とき・か6・につれて・ように)、1つのプラットホームの上に同りくすべての電子器具ある
いは新しい他のプロダクトーそしてregistrierbare所有者、1つを元気なas.
としてどち6かの位置を定めるように、それは申し出6れます。、
l11人は3の顧客を欲しないII(一1力氏11rzeugen、BluetoothあるいはRF工D-Produkten)1一給料
Ortungs-SeMと異なりましたll
【００７５】
IINFC一トランシーバーと一緒の拡張講座キットはCPU、USB一スピーチャーという人、
Solarpanel、1つのバイオメトリック(指紋)のGPS-Emp伯ngerのシユテツクrplatz
1つの記憶装置を持っています一11アイリス、顔一
身分証明書センサー、マイクロホン、1時計デジタル広告1つの拡声器111つのキー1つのRFID一
タグ、ナイフ、ねじ回し、USB-Anschluss、時計、Bluetooth一送り主とGSM-Modulll.
【００７６】
AIORK一ソ7トウエアはマルチ共存できるNFCと125kHzのIC
を管理しました・すなわち・ただダブルある.いは125キロヘルツあるいは2・4(5)gHz
の、そして管理されたする1が同じことになる、あるいは番号と異なり、AIORK一
ソフトウエアか6、そして「ロックループ」Web・
プラットホームと共に、数が管理する、を持った多数の工Cさえのこれが示す13.56MHzのIC
しかし同Jく特にこれの身元確認などだけではないです。)
【００７７】
IIWap-Handysは常に明6かにGSM毎にそうすることができました一1lあるいは1一GPS一
ネットさえ位置しているII、一1けれども(もうネコrlichではなく、GSM-Ortungがそうであるほど
ヨenrすみかしかしもしへの携帯電話においてしかしなが6それか6ただ、完全に、wor…it
だけを止める指令)を彼女/それ/(彼・それ)6で完了することはできませんでしたll.llAIORK一.
ソフトウエアで、再びGSMの上にそれはafterallに多分位置しているために、abgerが携帯電話を
stelltesするということである、BluetoothあるいはWいN
は同Jぐ6い同じくただ他の携帯電話の上にであるll(ここの元金1同じ)Il一が一
シユロツサーに怖J気づくGSMが同じぐ6い同Uく開かれて/entriegeln
するll.とにかくおやそれがホームー刑罰のシステムで判決を下した我々こ
こでラジオ宮殿のためにさ6に追加のデータがロックループ特許のために保護一主張するrben
、あるいはgetracktのネットがそれ自身同じく宮殿になることができない終わっていないGSM一
シユロツスと一緒の子供たちが始めることができて/認可なしでそうすることができます。同じく
AIORK一ソフトウェアを持っている携帯電
話のような我々のラジオ宮殿は、青いr歯の上にしかしなが6今同じくそれ自身GSM
の上にと同様、それほどそうすることができます、そしてGPS一
ネットは位置しています、そしてそれはここで可能、携帯電話あるいはラ
ジオ宮殿常にGPSの上の追跡とGSM一ネット
可能性が何を完備しているかにそして特に同じく今人がそれほどGSM一ネット
以上としてすぐに同じく携帯電話を管理することができるBluetooth-Handysの上に。AIORK・
ソフトウエアで、彼の/そのコードがただ1つと一緒に同様にA工ORK一
ソフトウエアが止めることができる彼!
その認可と携帯電話が許されて可能にするストップすることと息子たちをaS.
するだけであることは同じく多分同じく、何で彼自身所有者で、携帯電話、フアンクーSchlosrr
ser、あるいはtrackenの電子プロダクトを持っている止め6れた最初のときです
【００７８】
ダイレクト支払いの出費和解とアクセスーコントロールがロックループWeb
プラットホームの上に率直なGSM-Uebermittlungの上に直接納税申告書に関するAIORK一
ソフト.ウエア(ソフトウエア)で金額を差し引かれた元気なas.とverrech
rネットとして扱われます。このサービスは同UくKrankenkassen-undinsbesonder患者r
力一ドー入植地あるいはメール入植地のためになります、価値が税金などを加えました。
申し出ましたそしてバイオメトリツク認可freigerschaltetでそして常に直接Web
プラットホームが運ぶロックループで。Steのために
【００７９】
IlAIORK一ソフトウエアショーをllそうすることl1作動して/RFID一タグあるいは他のBluetooth
で有用なディスプレイの電話番号で恐怖、インフォメーション、あるいはプロダクトのホットライン
ーAnrufeを要求するなどするll.インフォメーション。
【００８０】
AIORK一ソフトウエアは学校スケジュールを処理して、そして親が同じく学校、子供たち/
学生がいるところが好きであると報告します。AIORK一ソフトウエアは学校か
6同じく提供されるスケジュール全体を配達
して、そして、教師、学校経営者、パッケージの中の同級生と親のために、アラームとインフォメー
ションを伝えます。
【００８１】
AIORK一ソフトウエアはすべての可能な携帯電話の上にネットである特定のRFID一
タグとそれの痕跡を探して、そしてNFC、Blueto。th、W一いNともちろんGSM
などの上に流します。.
【００８２】
AIORK一ソフトウエアはパイオメトリック、フィンガーr印刷一
などで携帯電話あるいは拡張講座キットを支えます。)統合化されたPGPあるいはOnaras
エナメルを通してのセンサー一あるいは同じく電話一が同様に音響のDld二aphone
言語レコードエンコーディングをas.します。携帯電話のそれぞれの最
新のもの芸術で、バイオメトリツク身元確認が必要とされます。
IIそれぞれのエナメルで、支払いとバイオメトリツクが、それほどそれほど心か6Spamen
に、そうである認可が参加される1l広範囲に2番目の一複雑にするII,
【００８３】
拡張講座キットにおいて携帯電話においてと同じように、それはその中にこれ6の2つの部分の
機械の強化に同じくキーなどの強化について同じく連続したRFID
日として1(人・つ)、錠あるいは常に閉じ6れたひも通しの穴私回路を開かなければなりません。
【００８４】
単純な(の・もの・人)で、それは、すべてドアを取り巻いている指紋センサー
の上に押します、あるいは認
可を持っているラジオ宮殿がディスプレイの上に同じく同時にすべて可能なBezahlrungs-
Moglichkeitenとして提示されて開かれます、それでそれは同Jくダイレクト支払いとしてNFC/
Bluetoothの上にBluetooth/NFCの上に金額を差し引かれたバスとBankomat
公園時計であり得ます。'
【００８５】
(彼・それ)6の同僚、チーム、が居住(GPS以上、GSM)、時間などの上にA工ORK-Daten
と一緒に/が6同じく顧客だと予測する相互に結び付け6れた(例えばSAP
一)の会社マネージメントとrが、それほどそれほど直接、geglichenするA10RK一
ソフトウエアが」緒にSoftwarenである彼女/それ。
似合われて管理されたした(そうすることができます)そして幾分バイオメトリックと一緒に確証さ
れます。
【００８６】
AIORK一ソフトウエアは恐怖シグナルを伝えて、そして、可動的なGSM一フアンクー
Brandmeldem、保護(一がボクシングをします)あるいは欠陥を持っているelectro、水、ガスー
カウント係、か6、場所を見せます。
【００８７】
AIORK一
ソフトウエアはビデオカメラなどのように、「自転車に電話をしてください」あるいは他の賃貸
料乗り物あるいは、RFID一ふだ、あるいは他のelektronische賃貸料プロダクトの顧客のために和解
を管理しました。すべての直接の和解で税金などで。.
【００８８】
拡張講座キットあるいは携帯電話でのAIORK一ソフトウェアはBluetooth
、それほどそれほどアクセス的なコントロールとV.の上に自動的に携帯電話あるいは拡張講座一
キットを探します。a.ダイレクト支払いがGSMなどの上に直接作用します。ロックループWeb
プラットホームの上に転送されてください。それぞれの取引が同Uく所有者の携帯電話でGSM
毎に報告されます。
【００８９】
拡張講座キットでのA工ORK一
ソフトウエア、あるいはすべての会話あるい与写真(ラニング)とそれぞれのWLAN
、が、自動的に、Bluetooth
して、そしてとしてパイオメトリック指紋で送信することができる携帯電話レコードNFC一
ファンクがエナメルをコード化しました、そして保存されます。
設備虚偽とたくさんのそれを持っている他の誤解あるいは少なくとも減6されたwer
rすみかを避けるべきです。キャッシュ・レジスターペーパー、ビジネス書類、当局書式がそ
れほど伝え6れることができて、そして秘密か、あるいは機密vとして拡張一
キットにセンサーで直接rmetrischをbioします
【００９０】
AIORK一ソフトウェアは場所とRFID-NUmmerで年がいったリカルドのすべての積一そして
eBay一などを処理しました。
競売にかけ6れなかったオークション、あるいは古いセールホールと残っている株キャンプか6、も
しLBS機能を持っているwerrすみかがrgeteiltをmitしたな6、それは再び、そし
てさ6に申し出6れることができます。
【００９１】
NFC、GP、Bluetooth一
それだけで、あるいはバイオメトリツクセンサーなどでトランシーバー(モジュール)。それは
Steckkarteのように拡張講座キットあるいは携帯電話に入れ6れることができます。
拡張講座キットはmehrerereUSB
プラグを持っています、そしてすべての他の人たちは流れのために携帯電話モデルを宣伝します。
【００９２】
パイオメトリック指紋センサーで、拡張講座キットあるいは携帯電話あるいはPDA
、上にラップトップの1缶の上に、インター
ネット、銀行預金口座で、あるいは株式取引所場所において直接自分自身をBluetoothしてください
一あるいは抽選一、賭けとゲームー銀行はログインして、そして指紋センサーの上に同じく購入/
販売/漢rdelの間取弓1の認可あるいは確認の役をします。
【００９３】
電話あるいは写真電話が電話で本当の呼び出し人を持っているために、バイオメトリツク(指紋)に
関して確かに召集された(人たち・もの)であるセンサーが、それほど、公認する一同りく彼/
それになります。
【００９４】
仮人たちの間でそうであり得るl1適切で取引のシグナルがそれ自身それほどまだ1km
ふさわしいMeetingsボンドー調整、それのために彼/そうするために最善を尽くすなどするl.
あるいは1分など。I1他か6遠いllそうであるll.
【００９５】
llAIORKでソフトウェア、その人の写真がディスプレイの上に指紋センサーとなる一彼の、ll/
Ilそllそしてll/あるいは彼の/その留置場がNFC一、によって見せ6れたBluetooth-Sen
rの上に元気なas.として明6かに電話をかける他11derllコントローラー、警察、セキュリティー一
Leutenにll.それはただ携帯電話と所有
者だけが行事その人と一緒に認可アクセスを得る人々の間で電子パスポートあるいはlDカードです
。これ6のデータはすぐに競合、メーリングなどのためにそうすることができます。Ilそれ自身
Bestitzer自身で、使われるIIこれ611インチの統制を撤廃する一一それほど何でA工ORKII
【００９６】
拡張講座一
キットという人が携帯電話においてだけではなく、飲物、コーヒー食物タバコ、タンク、あるい
は公園一自動販売機あるいはキヤツシユ・レジスターにおいて、そしてGSM
、ただ同uく、同じく金取引の位置と時間が
常にそうであり得るものについての、GPSが誇りとして持った、所有するNFCの横にインストー
ルしたことがあり得ます。
【００９７】
IlA工ORK一ソフトウエアは公園を捕えるために、
その携帯電話の上にロックループWeb
一可能にするlIそれとそれぞれのポーリrが彼/
プラットホームの上に料金が車に対して支払われたかどうがを見定めることがで
きたあとのGP以上の時間を測定して、そして置くll!
【００９８】
AIORK一
ソフトウエアはバイオメトリツク指紋センサーあるいはもう1つのバイオメトリックセンサーでリー
ドに携帯電話そして!あるいは拡張講座一キットについての票を可能にします。
rのためにが特許、納税
申告書あるいは他のか、あるいは内部(に・で)機密公式のフォームあるいはgeheime
文書のためにそれの上にオフィスが運ばれたversiegeltである、オフィスで、保証されたエナメル/
SMSのためにそうすることができます。
【００９９】
AIORK一
ソフトウエアは救急車、精神医学を可能にします、携帯電話の上に正確なボンドそして/あるいは
GPSの上に拡張講座一キットでリードして、そして緊急時ボタンの手、警察、Rettungsflugwacht
と薬試み場所への、アルコール、Toxikologisches研究所、火、Ol
と化学やなと一緒にアラームを送ろうと申し出ました
【０１００】
A工ORK一ソフトウエアは常に同Uく同時にダイレクト支払いあるいはアクセスーコントロール
ー取引を必要
とします、あるいは少なくとも時間として、トランザクションの確認がインターネットとGSM-
UMTS一の上にロックループWebプラットホームの上にネットを遅6せます!
【０１０１】
AIORK一ソフトウェアオーバーセルは電話をかけるか、あるいはラップトップとPDA
のの上に直接拡張講座キットの上に同じくインターネットに接続し得ます。
拡張講座キットあるいはA工ORK一ソフトウェアフィンガーr印刷を持
つた携帯電話あるいは他のバイオメトリツクーセンサー、NFC、W-LanとBluetoothなど。PDA
携帯電話は機械的
に、あるいは同りく電子的にラップトップのコンピュータと関係し得て、そしてまだコンビュータマ
ウス、長距離のサービスのように同じ機能を所有するなどします。USB-Stecker
とすべてが似ていない携帯電話のために他そしてPDAモデルであるという状態で。
【０１０２】
すべてのバイオメトリツクセンサーを持っている取弓1と試験、が元気なas.
が登録されている(とき・か6・につれて・ように)そしてロックループWeb
プラットホームの上に公認するがwerrすみかを移すか6、AIORK一
ソフトウェアはメールと銀行預金出演、刑事上の出発、バスと履歴書、を管理しました。AIORK一
ソフトウエアに関して指紋センサーとのゲームと株式取弓1所取引が保証する缶詰抽選、賭け、が公認
されます。
【０１０３】
AIORK一ソフトウェアはそれぞれエナメル、SMSなどで寄贈します。
それはエナメルが送6れたバイオメトリツクセンサーAutentiriziert
とr緒の書留書簡のような公式の証明になりました!
【０１０４】
Bluetoothと一緒の拡張講座キットはBluetoothなしでさ6にハンrdys
に置かれることができる、そして器具をBluetoothヘッドホンあるいは他のBluetooth
に送ることができる一つの拡張講座キットです。Bluet。oth-Sendemと一緒の同じ同種のものはW-
Lan、GPSのようなNFCの同じく他の駅を巻き込みます。
【０１０５】
拡張講座キットはBluetoothとUSBの横に一などになります。携帯電話においてKlett一
エンコーディングと一緒に結び付くことが強化するプラグケーブル。
【０１０６】
拡張講座キットは記憶装置カードと.Chipsのために追加の記憶装置チケットあるいは追加のイ
ンタフェースとスロットを持っています。
【０１０７】
A工ORK一ソフトウエアはのこぎり、気候設備、ラップトップ、Pum
rペンのようなプロダクトを始動させることへのキーで自動車、オートバイ、船、飛行機あるいはr
derenのモーターを始動させます。
【０１０８】
それが恐怖信号を始動させるように、AIORK一ソフトウエアは、もし彼/
その札入れのあるいは彼/そのス
ーツケース、袋などの中の青いr歯送り主であるな6差しはさまれることができます。青いr歯一
などか6。ラジオエリアが消失します。拡張講座キットあるいは携帯電話selrber
を持っている同u。Ilr歯送り主
がクレジットカードでケースに入れて大きく詰め6れるブルー、同Uく場合は彼/
それ一1においてIlそして止め6れますそしてバッテリーSolarpanel、指紋センサー、デジタル広告、が
一RFIDとしてダイアルするか、あるいは同じく宮殿とケーブルをイーブンにしてください一Tag
を揺すりますll
【０１０９】
AIORK一ソフトウエアはtrackenにGPS、Bluetooth以上としての同じくGSM
などの上に記憶装置
に関してそれぞれの携帯電話あるいは拡張講座キットに支払い機能とクレジットWいN
でそれを許します。
視覚の警報のように同じく自然音の(の・もの・人)をすることで、送6れてください。
【０１１０】
AIORK一ソフトウエアは必要評判信号で警察、救急車においてBluetoothあるいはWいNの上に
Rettungsflugwachted:にそれ、それぞれの携帯電話あるいは拡張講座キットを許します。
、もしGPSが、正確なGPS-Ortung
が一緒にされる携帯電話あるいは拡張講座キットでお互い携帯電話あるいは拡
張講座キットあるいはラジオエリアのラジオ宮殿ではないな6、食べました:
【０１１１】
AIORK一ソフトウエアは、それほどすべての少数のMirnutenが連続的にこのAIORK一
コードを持っているだけのAIORK
を持っているトランザクションとパーソナルが今(この分に)NFC/Bluer歯/W一いN
以上を指紋一コードするようにSecurID一ダイレクトーネツトカードで好きである変更など的で、
A工ORK-Sicherheitscodeのために同時に同じくロックループ銀行預金口座の上にAlgorにr忙h
rミューの負担を強いましたgemachtwerdencan.A工ORK一
コードはいつも再びピンでそうすることができます一口ックーループーPla出ormか6再びgedown
rIoadetになって、そして、ダイレクト支払いとアクセスー
コントロールがそれを持っている処理されたアプリケーションであり得るように、もう1っのAIORK
-Handyの上にある時間据え付け6れます。一ピンはAIORK一
有用な数部分と所有者自身の同じく人に入ることを許す指紋一Teilか6成り立ちます。A工ORK-
Sicherheitscode
はあるいは毎日連続的に再び携帯電話に送6れることができるか、あるいはそれほど順序づけ6れた
あるいはミューであり得ますそれぞれの取弓1がAIORK一有用なrbesitzerzuruckgermeldetでSMS
毎にその時に直接(任意になります)、それで彼/それがそうであることは常に彼のすべての/
についてその銀行一取引とggfに知6せました。もしほかの誰かがその錠ループ銀行預金口座を彼の
/上で取引を走6せさせるな6、それは行動をすることができます。この概念は同じくアクセスー
コントロール、RFID一ふだとv.にそれ自身を残します。a.このラジオ宮殿一
空席とロックされます一解決一は志願します。
1伺じくすでに日の調節可能な(の・もの・人)がより小さい量の夕方の自動販売機のために実際に
十分であるIlあるいはIl
【０１１２】
メールー出荷一パッケージのために、バイオメトリック認可がパッケージの転送がRFID一
タグーBriefmarkeあるいは.Kleberと一緒に人か5人によって保険/銀行/Versender/
所有者に直接のGSM-Uebertragungと共に処理される携帯電話の上に終わっています。lIDaがrに
beiに伝え6れる1一(お互いが見えました)さ6に顔のAIORK-Sicherheitscode
の絵への転送で1(されましたIIそしてII)I11秒で一プリントー認可を井戸as..Code
送信だと指摘する11.メールボックスにおいて、パッケージが同じく、転送が
確認されるように、メールボックスがNFC!BluetoothとGSM-Modul
と一緒に同じく拡張講座キットという人を持っているほど何で投げ入れ6れることができます。
Bluetooth/NFC/W-Lan拡張講座キットという人がパッケージに含め6れます。転送で、堆積/
プロダクト/受取人の写真が撮6れることができます。その場所の写真とプロダクト、プロダクトの
RFID一タグ身元確認の横に指紋一センサー一身元確認である場合
は、このコンセプトは借入れプロダクトの使用のために同じくそれ自身をそうさせます
【０１１３】
AIORK一ソフトウエアは新しい解決とアプリケーションがロック几一ププラットホームの上に
gedownloadetになることができるところ(に・で)Linuxのようにオープンプラットホームとして
Userを通って補われることができます。
【０１１４】
AIORK一ソフトウェアに関して、これ6がただバイオメトリックと認可
になることができるだけであるように、す
べての移動電話電話が携帯電話所有者によって中止されることができます。
【０１１５】
1一AIORKllソフトウエアが進むことができる一1l(隠れました)ll、元気なas.
がそれが緊密に結びついているという状態で、そうであるように、車で、Bluet00thの上の中央に
一ロックされますに仕えるか、あるいは家で、
開くスイッチユニット(ラ,ジオ宮殿で)が気候インストレーション、TVなどのために他のラジオ器
具がシヤツタrを供されて基礎を置かれた(とき・か6・につれて・ように)それほど入口をガレー
ジに入れて、そして同じくロックされることができるll..
【０１１６】
もしこれ6がストライクの(彼・それ)6の顧客がSMS
毎に、一人も存在しないように作成したその!が思い出させるか、あるいは遅れ損害一
経費として計上する彼女の/に影響することを望むな6、AIORK一ソフトウエアは信者のSMS-
Mahnungenのマネジャーをしました、そして請求書は支払われることができます。
ストライクについてのコミュニケーションが認知されたという指紋を持っている確認がその時に湖っ
て送6れます、同じく直接(缶詰めにしてください)覆われるようにこのようなAIORK
ダイレクト支払い!
【０１１７】
lIもし間違ったピンあるいは公認でないフィンガーがAIORK一
ソフトウエアで指紋センサーの上に携帯電話ある
いは拡張講座キットでアクセスコントロールあるいはダイレクト支払いについて下げ6れるな611-
IIあるいはOefrnungs干unktionを始めるためにGSMで他のBluetoothlIにBluetooth一
アラームになるか、あるいはGSM一アラームを送った順接11.
【０１１８】
Direkt一支払いあるいは他のAIORK一ソフトウェア機能に元気なas.として、よくアカウントを
as,するように、アプリケーション取り扱いが携帯電話あるいは拡張講座キットでのそして後にGSM
-Sprachubermittlungと一緒だけのA工ORK一
ソフトウエアによっての中身がロックループプラットホームの上に指名したストアされた一
の間にあります。
【０１１９】
オークションのために、支払いと株式取弓1所認可は携帯電話あるいは拡張講座でAIORK一
ソフトウエアに関して指紋センサーそして'あるいはピンの上に処理されたキット取引であり得ます
【０１２０】
もし含みが多いな6、携帯電話、PDA、とinplementiertの上の拡張講座一キットがなる、
IMEI-Seriennummerがそうである新しいAIORK」
ソフトウエアコンポーネントが調べました、そしてロックループWeb
プラットホームについての電流前の損失ニュースで器具getrackt。
【０１２１】
AIORK一ソフトウエアに関して、コード化されたBluetooth
あるいは他のシグナルがそれを持っているモーター
が始動させ6れる指紋センサーの上に車の中央モーター
一制御一ユニットに送6れることができます。
もし自動車、ユニット、が盗まれたになるな6、中央モーター制御一ユニットはオリエンテーション
と恐怖伝達に同様にBluetooth駅の横にGSM-Modul
を持っていて、そして動きセンサーあるいは他の器
具を始めて盗みあるいは禁じ6れた(人たち・もの)を登録して、そして携帯電話について報告しま
す
【０１２２】
Bluetoothと一緒のAIORK一ソフトウエア、NFCとFP一センサーなど。
携帯電話と拡張キットの横に管理されて、同じくブレスレット時計あるいはMP3、あるいは他の
Musik一演奏者でそしてにおいてラジオ、あるいはTV運河で対応する調律師とビデオーHitlists
と一緒に、それほど特にGSMの上に一そしてUMTS一ネットの上に羽毛が積み込まれます。
音声信号は携帯電話あるいはPDAの上にモニターの上にヘッド
ホンとビデオシグナルの上に伝え6れます。
【０１２３】
ソフトウエアーがただ1つの証明可能なコード送信以上だけをやめるAIORK。
電話がそうであり得る拡張キットあるいはセルがただこれ6の公認の人々によって劣化するように、
解読はロックループWebプラットホームの上に自由である・取り替え6れました。特にDirekt一
支払いのために、支払い出願が二重のピンを必要とします、そしてAIORK一
ソフトウエアの金アカウント記憶装置の蓄えのための指紋銀行預金口座が(彼・それ)6/彼女/
それが始まるコードとしてのそれを必要とします。
【０１２４】
それぞれのDirekt一支払い支払いが価格についてのデータ、位置で所有者が6バイヤーまで
AIORK一
ソフトウエアで日付、ブランド、小片の番号になります、供給元記録がキャッシュ・レジスターで好
んで、そして税金で戻るなどします。金額を差し引かれました。Doking一ステーションオーバー
eienインターネット上で晩に一
あるいは指紋センサーとピンコード認可を持っている借り方が似合うGSM-Anbindung
の上にまで、クレジットが同じく支払いのようにAIORK一
ソフトウエアの貯蔵でその時にストアされた一の間にあり得ます。
【０１２５】
AIORK一ソフトウエアは、空間的に、プリファレンス(音楽、運河、、席態度)、生理学の生
物学的な主要部と病気一データあるいはソフトウェア、「トラフィック」のためのラジオの例えば
、態度、の元気なaS,
システムデータが、それほどそれほど地域的に、作用する(とき・か6・につれて・ように)(彼・
それ)6対応する(の・もの・人)一へのすべての人々/
個人の個人の態度を管理しました、そしてZeitはrににBluetOOth/W-Lan/
NFC以上で同Uく車として私的な、そして公共の交通手段によって提出されます。
【０１２６】
AIORK一ソフトウエアで、あ6ゆるタイプの器具が時計が好きです、拡張一Kits
と速い10の距離の.100メートノレ以上のBluetooth一
あるいはNFCステーションを越えるラジオ宮殿が見つけて、そして管理した容器、携帯電話、
PDA、がふさわしいキー連合あるいは札入れ。
【０１２７】
AIORK一ソフトウエアは1ソフトウエア付加携帯電話を持っています、それは距離計算か6
GSMあるいはUMTS一マステンまでGSM-Modulenを作ることを誰のか6・EK・PDA
で、可能にします。新しいアンテナが我々のマステンーカルテンの中にその機会とKordinaten
の上に同uく識別されます
【０１２８】
AIORK一ソフトウエアはBluetoothと一緒に同様に拡張講座一キットという人をas.
します、そしてNFC一
送り主と指紋センサーが同じくモデム、マウスとV.においてあるいはでそうすることができます。
a,、元気なas.がBankomaten
、公園時計、自動販売機、キャッシュ・レジスターあるいは他の貴重な不動産でロックループGSM-
Funkschloss
のように統合化されていて、そして特にそれ自身動きセンサーを持っている(とき寸か6
・につれて・よ
うに)、キーボードあるいはもう1つの音響の、目に見える入力された媒体が交わりました!
【０１２９】
Bluetooth、AIORK一ソフトウエアはNFCと共に同様に拡張講座一キットという人をas.
しますそしてFP一センサー
は自転車、車あるいは入口でただラジオ宮殿だけではなく開きます、しかし錠を開けてくださいが同
じく自動車PDAがB己nkomaten
するコンピュータ、キヤツシユ1レジスター、IDカード、TVインフォメーションと広
告器具に無線を打ちます。
【０１３０】
最初のRFID一
タグ身分証明書でプレートナンバーがライセンスを支払われなくてはな6ないか、あるいは拡張キッ
トのためにロックループWebプラットホームの上に入力されなくてはなりません。
【０１３１】
それぞれの取引であるいは中にいて、そして脇道にそれるとき、Bluetooth
、NFC、がロックループWebプラットホーム取弓1にそこの元気なas.として彼/
それが報告した携帯電話あるいは所有者の電子メー
ル記述、もし盗まれるな6それにこの器具が正確にであるW-Lan
ピンコードにこの場所と携帯電話でそ
れぞれの拡張講座キットの上に、あるいはキャッシュ・レジスターにおいて、公園時計を送るであろ
う。
【０１３２】
もし拡張講座キットか6のあるいは自動販売機、キャッシュ・レジスター、Bankomaten
、公園時計あるいは携帯電話においての近接の中への人が来るな6、BluejackingWerbe
あるいはインフオメーシヨンーMessage
が伝え6れる、それは個人のプリフアレンスに調節されることができる。
【０１３３】
これがそうであるものを使っての、AIORK・
ソフトウエア日刊紙が指紋バイオメトリックで同じく再び認証した支払い解決がそうである一
が新しいエンコーディングを積み込んだダイレクトのために、彼の/
でそれ自身のコンピュータとそれほどただakteptiert
のこのコード組み合わせだけがなるインターネツトー
接続をドックに入れるとき、そしてもっとすべての他のパスするノー。GSM
の上のそれぞれの電話と一緒の向いネット。
【０１３４】
llllなぜな6時計において時計、リボンが何で2つのさけ目を通ってリードされるかの下でブレス
レットの手段によってしっかり留め6れますか61I.
【０１３５】
IrDAテレビー器具などの上に存在しているAIORK
ソフトウエアが(そのために)コントロールを持っている元気なas.としてのEK。
が6進んでください。
【０１３６】
ソフトウエアーが他のRFID一タグを排除するAIORK。一がそれと共に支援者
するNFCはロードを信じますが、もし今日のお薦めのピンコードが知っている例えば
、所有者、な6、よくこれをas.するように、同じく荷を降ろします、ただ、RFID一
タグが6の認可で元気なas.、NFC支援者、として、そうすることができます。
【０１３７】
AIORK一
ソフトウエアは、それがすでに始めるとき、ドライブするという状態で、そして自動車を追
加の局部的な、そして時間的なUnabhangigkeit/
障害で止めるとき余分φもっと良いエンコーディング解像度を持ついます、もし(
彼・それ)6がハングするな6Chassi
、順にエンコーディングコードを探り出すのに十分遠くないNFC
ためのこれ6、の上の小さいスパイ活動ステーションが送信することができるが6、それはインスト
ールされて、いっそう悪賢い泥棒のために同Uく1つの障害を表します。
【０１３８】
AIORK一ソフトウエアはの拡張キットという人1つのデジタルカメラの同じぐ6い元気なas.
が同じくこのようなカメラを所有することができるという接続を持っています。
【０１３９】
11まだ身分証明書が、直接(彼・それ)6がキャッシュ・レジスターのBluetooth/GSM
中いたる所に規則的に売ったもので、することができる路上の例えば探偵あるいは人員がよくaS,
するように、AIORK一ソフトウェアを持っているEK・
はより大きい距離の上にそれほどより大きいトランシーバーパフォーマンス(bobsten)でRFID一
ふだを読み終えることができる一一プロダクトを売6ないIlA工ORK一ソフトウェアで運ばれるII.
73b。AIORK一ソフトウエアはRFD一タグで/
なしでプロダクトのために古いオークションのために申し出/
注文をストアすることができます、そして連絡がセール/
購入契約がスタンドに来るように、バイオメトリック指紋一センサー
に関してされた利害関係がまだ正当であるかどうかに対しての後の興味に関してアジサシ/
入札者をします。
【０１４０】
125キロヘルツ以上あるいは同Jく13,56MHz
以上(mirare)あるいはもっと多くの周波数とTechnと伺様、AIORK一ソフトウェア缶詰RFID一
ふだあるいは他の有効なトランスボンダーを持っているEK
【０１４１】
IlAIORK一ソフトウェアは同じく音響学上手作業でヘッドホンの上の(の・もの・人)あるいは.
拡張講座キットの横に入力された金量あるいは携帯電話とショーという名前の彼/
識別する1同じくトランザクションがすぐに同じぐ
6い同じくそこに指紋センサー感触で認可のせいにされるようにそれは直接指紋センサー感触で自身
の器具の上に同じく同じぐ6い反対側の用具の上11.
単純な、二重か、あるいは多数のセンサー接触がその時あるいは1アップダウンの上に井戸aS.
ダウンアップ運転としてそうすることができます
【０１４２】
lIAIORK一ソフトウエアは元気なas.として為替レート損失なしでmonet叫一independent
に可能な支払うことか6、新しいM支払いがただ紹介された通貨であるという点で、どち6か残すll
一(人・つ"1においてもll、そして一
がにおいて(彼・それ)6の最新の(の・もの・人)に相違(en)が持つとすべての通貨
を持っているそれを追いかけるか、あるいはセールー勢いよく流れる販売il$
、ボンド、ユーロ、円あるいはSFrll.立ってください。
【０１４３】
バーコードスキャナーで元気なas.がFP一センサーZahlungs一取引に設備が整っているEK
の認識センサーにディスプレイの直接A10RK一ソフトウェアに関する価格を見せた
ことがあり得る(とき・か6につれて・ように)
【０１４４】
AIORK一ソフトウェアはRFID一同じくW-LAN一とBluet。Oth一タグー
の横に管理することができます一/停止においてのすなわち、が個人的にコードして/
初期化します、そしてもちろん検索において友人一ファインダソフトウエアを通してWeb
プラットホームの上の恐怖信号あるいは携帯電話が送信します。個々にその時に連続的にRFID
の認識コードを変えること、WいNとBluetooth一ふだが認識するAIORK一
ソフトウェア缶一杯、それで他のRFID、W・いN、か6のこれ6ではなく、それ、そして・
EmpfangemをBluetoothしてください。AIORK一友人一ファインダSoftwarenは追跡しました
【０１４５】
RFIDWLANと青いr歯、AIORK一ソフトウエアはGSMについて同時に騒動を排除します
、チョウザメステーシ
ョンがこのようなシグナルを使ってこのようなチョウザメステーションの存在/使用!
アプリケーションを認識して、そして伝えます。特にいくつか(Bluetooth一ピコ
ー)ネットが気分を害されているけれども、警察と携帯電話所有者に恐怖シグナルがあります。
恐怖は同じく明白な他の乗り物で伝え6れることができます、あるいはその時の
携帯電話が、何で毎回、もし車権利ではないと宣言されるな6同様にV.をaS,します。a.
権利ではないです
【０１４６】
CoAIORK一
ソフトウェアはラジオ宮殿のために新しいダウンロードを初期化することができます。
【０１４７】
AIORK一.ソフトウエアは設備が整っているRFIDのM支払い/日のBIuetoothWいNの間.
EEOPROMキヤツシユを持っている元気なas.
チップが読みを終える(とき・か6・につれて・ように)そうすることができて、そして、ピン
コードが所有者ノDebitorによってA工ORK一
ソフトウエアの中に入力されるという点で、M支払いが実行するトランザクションを保証します。
【０１４８】
常にAIORK一ソフトウエアは見ます、なぜな6geeignetsten
トランザクションモードは免疫があるNFCあるいはそれほど確かでない125kHz、
、IrDa、WいNであるか6。
Bluetooth
【０１４９】
キットが同じく右に下方へ左か6ただ上が6操作されることができる拡張に関する指紋一
センサー。
【０１５０】
AIORK一ソフトウエアは(彼・それ)6の栄養の価値の後に一元気なas.
パッケージとして、食物を管理して、そして、顧客、携帯電話のデータ、場合は、仕様と一緒の
RFID一タグがラックにおいて適
切であるという点で、パケット補足か6ストアで直接毎日の、週に1度の食べものを加えるなどしま
す。彼!それは読書を終えることができるか、あるいはピンでそしてGSM
の上にプロダクトか6離れて彼女/それ/(彼・それ)6を読むことができます
【０１５１】
AIORK一ソフトウエアはよくBluetooth
ステーションとレジスタ消費を持った中央のモーター単位すべてのドライバーに
ついてのデータ、運転の方法をaS.するように、ガスー、のマネジャーをして
、そして車のこれ6を運ぶなどします。そして、ロツクル.一プWeb
プラットホーム、車とドライバーのデータが何で常に伝え6れるかの上にドライノ、一のAIORK一
ソフトウエアを持っている車のそれぞれの始めること、そしてストップすることであ
るとき、元気なaS.として毎日これ6を運んでください。
【０１５２】
AIORK一ソフトウエア、点火装置とドアと共にNFC以上はオートバイーそして車において一
Bluetooth
などになります。バイオメトリツクで開いて、そして管理されたで、同じぐ6い明白に始まることに
ついての指紋センサー一Personenerkennungは錠ループですでにボルトで締め6れた宮殿箱で実際
に捕え6れました。同時に、AIORK一
ソフトウェアは同じく中央モーターユニットについてフリーのインターホ
ンあるいはヘッドホンに接続を引き継ぎます。AIORK一ソフトウエアを持っているEK
がドアと点火において、そして彼/それの後に直接保たれることができます
【０１５３】
AIORK一
ソフトウエアは自動車と家で、あるいはほかのところにフリーのインターホンを調節します。
携帯電話一バッテリーについて会話あるいはダウンロードのためにオートGSM
のモジュールのための携帯電話のAIORK一
ソフトウエアを取っておくことが可能であるために自動車で特に乗り換えます。
【０１５４】
AIORK一ソフトウエアはそれほど携帯電話のエンコーディングなどを持っています。
NFCと共に車一ではなくなど。宮殿がそうであり得る元気なas.保全メカニズムとしてのRFID一
エンコーディングと一緒の宮殿が割れました。
1これのために、NFCトランシーノ、一1D番号は同様に再び特に検索されるIlように1I.
【０１５５】
lIAIORK一ソフトウエア、Bluetoothの上に、WL(」N、電子11でそれほどそれほどスタートを
持っているあるいはネトップするこれ6の器具的なAlaram一システムソフトウエアgespiesenの
AIORK
とNFCステーションになることができますそしてあるいは使用の間にすべてほとんど秒、誰の身元
確認一かll、これが我々のロックループWebプラットホームの上のGSM一
ネットの上の(どれ・何・誰)の次の携帯電話電話と
緒の他の携帯電話でもそうであるこの識別番号が、どこか6、アラームか6導いた(の・もの
・人)を示すように、Nummerが取りに行かせるll(これの携帯電話)1I
【０１５６】
もちろん、AIORK一
ソフトウエアはここで同じくキーのためにロックループデータ保護を元気なaS,
として直接のシステムで宮殿のために解決です、それは異なったAIORK
アプリケーションのためにただノ、イオメトリック認証で管理されたになることができます。
より電子の札入れをgetrackt
して、そして自身のバイオメトリック認可の上にそのうえ使われることができなくはないEspedally
はユニークです。
【０１５７】
AIORK一ソフトウエアはBluetooth、NFCの上に直接それにそれぞれのユーザーW-
LAになることを許します
【０１５８】
フリーランスがソフトウエアの成功の後に、〈彼・それ)6がこれのためにパーセンテージのた
めに手に入れるもの、完全にそれ自身で、部分バージョンに新しいAIORK一
ソフトウエアを書き込むことができます。このinstalielten、So仕waren、がそうである皆がGer
brauchで初期化しました、そしてその時にテストされます、そしてそのA工ORK
保護右機能は使われます。それで、似合われるBluet。oth-Chip
は許可証で数あるいは他のハードウェアコンポーネント、電話番号、をテストされた製造業者
So仕warenと命名します。それが最も良く、支配的なSoftwaren
がただ使われることを保証されるように、そしてこれ
【０１５９】
AIORK
ソフトウエアはヨーロッパ、USAと日本で特にM支払いのために似ていないスタンド芸術の上に試
着されることができます。
自認がユーザー、パートナーの会社、データなどのために中央ユニットでプロバイダになります。管
理された。
【０１６０】
乗り物あるいはプロダクトの登録において
Bluetoothトランシーバーと一緒にグループで保護に盗
難の前に、それぞれの周囲の乗り物あるいはコード送信、S、と一緒のプロダクトヘのそれ自身を宣
言しているBluetooth
ラジオ宮殿か6の電話(Bluetooth)がされますこの時に・下に同時に・そして'あるいは
時間として異なって完成されたすみがラジ
オ宮殿が連絡ステップ(すでに)暗証番号を持つことを容認していた、そして(彼・
それ)6の出席が確認する
を始めることにおいて、(彼・それ)6が(彼・それ)6の秘密の(のもの・人)との他の
後の(の・もの・人)を変えたという点で、出席コントロールが毎分これ6の2つのラジオ宮殿の間
にgemachtになります。ただ実際の元気なas.
としての3番目のスパイ活動をしているラジオ宮殿だけがファンクーSchlo
を発表してそれ自身として宣言された(の・もの・人)としてそれ自身を元気なaS.
のようにカモフラージュしたことはそれで妨げ6れることができます
【０１６１】
AIORK一ソフトウエアはただピンコrドあるいは携帯電話での指紋センサー
などの上にそうすることができません。Bluet。。th一など。ラジオ宮殿がpairen'
します、しかし同じく車と他の盗み一セキュリティ一一
システムのために、(彼・それ)6が同時にBluetooth
モジュールの間に交換されるように、(彼・それ)6の登録と認識はpairenをコードします。
ピンあるいは指紋で、同Uく認可がpairendeの他の携帯電話のために
それほどそうすることができるなどします。ラジオ宮殿の組み合わせ。これ6のPairungen
は常に最初のGで直接であるが、あるいは…の時に遅れになります
【０１６２】
A10RK一ソフトウエアはそれぞれの電話あるいは1(人・つ)にあるか一あるいはBluatooth
、NFCに興味を失わせます。WLAN
、ステーションチップのすべての周囲のステーションの検索がする器具とlD番号での125kHz
であるか、あるいは他のステーションが直接我々のロックループウエブサイトでGSM-Abfrage
の上に、どち6が盗まれて、消防車を登録したかについてオーナーの携帯電話に恐怖一SMS
毎にさ6に元気なas・として移ります。
【０１６３】
オンラインのインターネットのために、Besatigungは認可、認証あるいはコード化された
Blueto。thの上の指紋一センサー
と一緒の器具、サーバーと特許オフィスなどを持っているファイルヘの保護されたアクセスのための
WいNあるいはコンピュータの上のNFC接続のAIORK一ソフトウェアに関する確認になります。
もしかすると。
【０１６４】
l1携帯電話一そして他の
PDAビーマーサボート、動かすことができるミクロ鏡が使う袋フォーマットでのこれとそれ
で(そのために)推定のラインであるべき写真が内側を覆うA10RK一ソフトウェア容器11いたっll
【０１６５】
AIORK.ソフトウエアは読書の器具の反対側にRFID一ブロツカニー
チツプの上に受動的にアドレス可能なRFID一
ラベルのほとんど無限の数をシミュレートすることができます、それ自身は絶対的にすべて他の後の
人を尋問しました、あるいは活発にチョウザメ信号を通してRFID-Chipsverunmoglichen
の読みのこのRFID-Frequenzの上にそうすることができます。
【０１６６】
lITbay:I1輸送機関一そして同じく碁一インターネットーWAP-Pb出orm
(通行人、自転車乗り、タクシービジネス、列車とフライト会社のために)(Nachfrage-Angebot-
Versteigerungs)は技術に耐えました:とそれがそれほどそれ自身を記述させます、しかしなが6、
eBayは(リアルタイム)GPS一そしてGSM
、データ記録とトランスミッションなしで同じく人輸送についてはプロダクトのためにインターネッ
トーWAP-Versteigerungs-Pla出ormですlHI.人オリエンテーションのために、新しいGPS一
そしてGSM-Ortungs一とDarstellrungsrテクノrログrien
、人尻横断のためのそれがあります.Versteigerungsfunktionがないgelegenheits-Pla世ormen
が、同様に一GSMを場所一記録している直接のGPSを使わなかった他のMiビahr一登録可能性.
このようなデジタルのGPS一そしてGSMスタンドrではなく、井戸として、直接彼女の/
についてそ/(彼・.それ)6の顧客を車で拾うタクシー一Untemehmen動因。
オペレーターが場所を伝えることができるところ(に・で)明6かにフリート追跡と経営責任を持つ
システムがあります、どこ(で・に)かがパッケージあるいはちょうつがいrbracht
が似合わなくてはな6ない(の・もの・人)、しかし人々にとってそしてどんなPersonen-
Stantortbestか拾い上げました
【０１６７】
元気なas,
ヒットパレード、中身、テレビ運河、ゲーム、サービス、プロダクト、ソフトウエアインプリメンテ
ーション、認可、世論調査、権利と任務、ゲーム、パートナー一mediations
、u.支払いトラフィック調整可能性.、それほどどち5かがそうである経済がkann
を記述した(とき・が6・につれて・ように)ビデオヒット狡滑を持っている元気なas.
可動的なフオンポータル、ヒットチャートであると同じように、対話型のインターネット上で直
接の評価のためにそしてアクセスのために指紋センサーに入ります:これ6AIORK
部分発明が対話型のアクセス可能なモバイル器具の上
の(の・もの・人)を伴いますないまだアプリケーションがよくそれをaS.
するように誰でもない、それは入り口の上に(ヒットパ
レード)リストで相互にやりとりするいくつかのeingesendeterビデオ内容が、まだ記述したパフォ
ーマンスを明確にする。もちろんしかしなが6WAPにインターネットによって打
撃を与え6れたパレードがある、
それは対話型ではない、そして可動的なフォンのヒットは数によってリストされた電話ではない。
この特許ranmeldungは0903676における登録EPの開発を記述する。タイプの国家は西
暦1999年か6サン・マイクロシステム
ズの特許(EP0903676)である陳列、ビデオのデータベースが映し出すb,
と続いているユーザインタフェースがそれぞれのビデオのプレゼンテーションの選択された代表的な
イメージを提出して(そのために)コンピュータを言ったC.が減少した大きさの一連のイメージの
それぞれのセルで、当該のデータベースにストアして、そしてユーザーの問合せに関係があると判断
したa.持っているコンピュータか6構成されている装置。陳列、ビデオのデータベースが映し出す
b.と続いているユーザインタフェースがそれぞれのビデオのプレゼンテー
ションの選択された代表的なイメージを提出して(そのために)コンピュータを言ったC.がストア
した工一力一コンピュータを持っていることを構成している機構がきちんとそろった減少した大きさ
のイメージにデータベースと、それぞれのセルで、ユーザーの問合せに関係がある識別されるエース
を言われて中にいるか。それは移動電話がヒットパレードリストなしでしかし他方そして1つの配列
と一緒にだけ一方ではクリップを見せることに耐えません。しかしなが6、サン・マイクロシス
テムズは検索の問合せか6サーバーまで携帯電話によって提出されてはなりません結局作用しに来
ることについてのアプリケーションに将来これほど最も単純で(彼・それ)6の特許で(彼・それ)
6のクレーム15でのEpog03676を忘れました、そしてけれども他の検索が元気なas.
がただすでにヒットを通して存在しさえする(とき・か6・につれて・ように)照会する一
がすでにサーバーで完全にリストするヒット、それはすべての上に
しますけれども非常に決定的に(彼・それ)6は、たとえそれが捜索基準自身であり得るとしても、
「(これ)に打撃を与えてください」一リスト、ヒットパレードでの通常選ばれたビデオー
を主張しません。
この特定のケースで、同じくただヒットパレードリストだけが放送されるでしょう、しかしヒットパ
レード・例えば・位置1・2、3に関するビデオ、の中身ではないです。..)、
消費者か6需要で同Uぐ6い一?のもの!
偉くのしかかりますしかし必要である1それl1少しもユーザーによって提出された捜索質問が6では
なくさ6に最も重要な(人・もの)をリ,スして、そして必要と'します、なぜな6常にただすでにV〕
か6の最も良いビデオll
【図面の簡単な説明】
【０１６８】
【図１】彼女/それがディスプレイの上に同様に器具をaS.するのとまったく同じように、リストの一般的なAIORK一ソフトウェアの機能とアプリケーションの表示が見る
【図２】最も重要なステーションを上場すること、AIORK一ソフトウエアとハードウエア解決のモジュール、機能とアプリケrション
【図３】Blueto。th一車のラジオ宮殿のモジュールーと一緒のAIORK盗み一保全一解決の機能の代表
【図１】
2007529797.tif 000002
【図２】
2007529797.tif 000003
【図３】
2007529797.tif 000004
【図４】
2007529797.tif 000005
【図５】
2007529797.tif 000006